(57)【要約】  プログラムし、モニタリングし、ディスプレイのピクセルを駆動するための回路を提供する。回路は、全体的に、記憶装置（例えばキャパシタ）に保存されるプログラム情報による発光デバイスを介して電流を駆動するためにドライブトランジスタを含む。一つ以上のスイッチングトランジスタは、全体的に、プログラミング、モニタリングおよび／またはエミッションのための回路を選ぶために含まれる。回路は、プログラム情報がスイッチングトランジスタの抵抗の中でそれぞれにドライブトランジスタに適用されることができるように都合よく選択的にゲートを連結するエミッショントランジスタおよびドライブトランジスタのソース端子を組み込む。
2014517940.tif 000002
【特許請求の範囲】
【請求項１】
ディスプレイアレイのピクセルを補償するためのシステムであって、
プログラミングサイクル中、プログラミング情報によってプログラムされるピクセル回路であって、エミッションサイクル中、プログラミング情報によって光を放射するように駆動され、
エミッションサイクル中、光を放射するための発光デバイスと、
エミッションサイクル中、発光デバイスを介して電流を運ぶための駆動トランジスタと、
プログラミングサイクル中、プログラミング情報の少なくとも一部に基づいて電圧でチャージされるストレージキャパシタと、
エミッションサイクル中、発光デバイス、駆動トランジスタ、および、ストレージキャパシタのうちの少なくとも２つに選択的に接続するように配列されたエミッション制御トランジスタと、を有し、ストレージキャパシタの電圧に酔って駆動トランジスタを介して発光デバイスを介して電流が運ばれることを特徴とする、ピクセル回路と、
プログラミング情報によってストレージキャパシタをチャージすることによってデータラインを介して前記ピクセル回路をプログラミングするためのドライバと、
前記ピクセル回路のエージング劣化の電圧又は電流表示を抽出するためのモニタと、
前記モニタおよびドライバを作動させるためのコントローラであって、
前記モニタから劣化の量の表示を受け取り、
発光デバイスから放射された光の量のデータ入力表示を受け取り、
劣化の量に基づいてピクセル回路に提供するための補償の量を決定し、
ピクセル回路をプログラムするためにドライバにプログラミング情報を提供する、
ように構成され、前記プログラミング情報が、決定された補償の量および受け取られたデータ入力の少なくとも一部に基いていることを特徴とする、コントローラと、
を有することを特徴とするシステム。
【請求項２】
前記ピクセル回路が、
駆動トランジスタのソース端子をデータラインに結合するために、選択ラインによって作動されるデータスイッチトランジスタと、
を更に有し、
前記データラインが、モニタリングサイクル中、駆動トランジスタを介して電流を測定するためにモニタに結合されることを特徴とする請求項１に記載のシステム。
【請求項３】
前記データスイッチトランジスタが、発光デバイスに結合され、モニタリングサイクル中、駆動トランジスタを介した電流が発光デバイスを介して運ばれないように、モニタリングサイクル中、前記データラインが、キャリブレーション電圧で固定され、前記キャリブレーション電圧が、発光デバイスをターンオフするのに十分であることを特徴とする請求項２に記載のシステム。
【請求項４】
前記モニタが、データスイッチトランジスタを介して発光デバイスの作動電圧をモニタリングするための電圧モニタを包含することを特徴とする請求項２に記載のシステム。
【請求項５】
前記エミッション制御トランジスタが、駆動トランジスタのゲート端子とストレージキャパシタとの間に接続され、プログラミングサイクル中、エミッション制御トランジスタがターンオフされる間、駆動トランジスタのゲート端子がストレージキャパシタから絶縁されることを特徴とする請求項１に記載のシステム。
【請求項６】
ストレージキャパシタとリファレンスラインとの間に接続されたリファレンススイッチトランジスタを更に有し、
前記ストレージキャパシタが、プログラミングサイクル中、前記リファレンスラインに印加されたリファレンス電圧と、データラインに印加されたプログラミング電圧との間の差によってチャージされることを特徴とする請求項５に記載のシステム。
【請求項７】
前記リファレンスラインが、補償電圧を提供し、プログラミング位相中、補償電圧が、コントローラによって決定された補償の量に基づいていることを特徴とする請求項６に記載のシステム。
【請求項８】
プログラミング及びモニタリングサイクル中、駆動トランジスタのソース端子をデータラインに結合するために、選択ラインによって作動されるデータスイッチトランジスタと、
プログラミングサイクル中、駆動トランジスタがターンオフされるように、プログラミングサイクル中、駆動トランジスタのゲート端子を第１のリファレンスラインに結合させるために、選択ラインによって作動される第１のリファレンススイッチトランジスタと、
プログラミングサイクル中、データラインに印加されたプログラミング電圧と第２のリファレンスラインのリファレンス電圧又は補償との間の差によって、データスイッチトランジスタ、第１のリファレンススイッチトランジスタ、および、第２のリファレンストランジスタがターンオンされる間、ストレージキャパシタがチャージされるように、第２のリファレンスラインを、データスイッチトランジスタに接続されたものではなくストレージキャパシタの端子に結合するために、選択ラインによって作動される第２のリファレンススイッチトランジスタと、
を更に有することを特徴とする請求項１に記載のシステム。
【請求項９】
ピクセル回路のモニタリングサイクル中、データラインが、駆動トランジスタを介して電流を測定するためにモニタに結合されることを特徴とする請求項８に記載のシステム。
【請求項１０】
ディスプレイパネルを形成するために行および列に配列された複数の同様のピクセル回路を更に有し、
コントローラが、複数のピクセル回路の各々に関してエージング劣化の表示を受け取り、複数のピクセル回路の各々に関して劣化の量を判断し、補償のそれぞれの所定の量によってフクスのピクセル回路の各々をプログラムするように更に構成されることを特徴とする請求項９に記載のシステム。
【請求項１１】
エミッションサイクル中、エミッション制御トランジスタが駆動トランジスタのソース端子およびゲート端子にわたってストレージキャパシタを結合し、
前記ピクセル回路が更に、
駆動トランジスタのゲート端子に結合されたストレージキャパシタの端子にデータラインを結合するために、選択ラインによって作動されるデータスイッチトランジスタと、
エミッショントランジスタに結合されたストレージキャパシタの端子にモニタラインを結合するために、選択ラインによって作動されるモニタリングスイッチトランジスタと、
を更に有し、
モニタリングサイクル中、モニタラインが、ドライブトランジスタを介して電流を測定するためにモニタに結合されることを特徴とする請求項１に記載のシステム。
【請求項１２】
モニタリングサイクル中、モニタラインが、較正電圧で固定され、モニタリングサイクル中、駆動トランジスタを介した電流が、発光デバイスを介して運ばれないように、前記較正電圧が、発光デバイスをターンオフするのに十分であることを特徴とする請求項１１に記載のシステム。
【請求項１３】
ストレージキャパシタに印加された電圧が発光デバイスの内部キャパシタンスによって影響されないようにするために、プログラミング位相中、発光デバイスからストレージキャパシタを絶縁することによって、前記エミッション制御トランジスタが、ストレージキャパシタと発光デバイスとの間に結合される、ことを特徴とする請求項１１に記載のシステム。
【請求項１４】
前記エミッション制御トランジスタが、スイッチオフされる間、駆動トランジスタが、発光デバイスに電流を運ばないようにすることによって、前記エミッション制御トランジスタが、発光デバイスと駆動トランジスタのソース端子との間に結合されることを特徴とする請求項１１に記載のシステム。
【請求項１５】
駆動トランジスタに結合されるエミッショントランジスタの端子がまた、モニタリングスイッチトランジスタおよびストレージキャパシタに結合されることを特徴とする請求項１４に記載のシステム。
【請求項１６】
前記ピクセル回路が、
駆動トランジスタのゲート端子に結合されるストレージキャパシタの端子にデータラインを結合するために、第１の選択ラインによって作動されるデータスイッチトランジスタと、
エミッショントランジスタに結合されたストレージキャパシタの端子にデータラインを結合するために、第２の選択ラインによって作動されるモニタリングスイッチトランジスタと、
を更に有し、
モニタリング位相中、モニタラインが、駆動トランジスタを介して電流を測定するためにモニタに結合されることを特徴とする請求項１に記載のシステム。
【請求項１７】
前記発光デバイスが、有機ＬＥＤであることを特徴とする請求項１に記載のシステム。
【請求項１８】
発光デバイスを駆動するためのピクセル回路であって、
駆動トランジスタにわたって印加された駆動電圧によって発光デバイスを介して電流を駆動するための駆動トランジスタと、
プログラミングサイクル中、駆動電圧でチャージされるストレージキャパシタと、
エミッションサイクル中、電流が、ストレージキャパシタでチャージされる電圧によって、駆動トランジスタを介して運ばれるように、駆動トランジスタ、発光デバイス、およびストレージキャパシタのうちの少なくとも２つを接続するためのエミッション制御トランジスタと、
モニタリングサイクル中、駆動トランジスタを介して電流に基づいてエージング情報の表示を受診するためにモニタに駆動トランジスタを介して電流パスを接続するための少なくとも１つのスイッチトランジスタと
を有することを特徴とするピクセル回路。
【請求項１９】
プログラムサイクル中、ピクセル回路がプログラムされている間、駆動トランジスタが少なくとも１つのスイッチトランジスタを介して電流を運ばないように、エミッション制御トランジスタが、発光デバイスと直列に接続されることを特徴とする請求項１８に記載のピクセル回路。
【請求項２０】
前記ピクセル回路が、少なくとも１つのスイッチトランジスタの抵抗と独立してプログラムされることを特徴とする請求項１９に記載のピクセル回路。
【請求項２１】
エミッション制御トランジスタを介したエミッションサイクル中、ストレージキャパシタが駆動トランジスタのソース端子とゲート端子にわたって接続され、プログラミングサイクル中、ストレージキャパシタが、駆動トランジスタのソース端子またはゲート端子の少なくとも１つから切断されることを特徴とする請求項１８に記載のピクセル回路。
【請求項２２】
プログラムサイクル中、駆動トランジスタのゲート端子に結合されたストレージキャパシタの端子にデータラインを結合するために、選択ラインによって作動されるデータスイッチトランジスタと、
を更に有し、
少なくとも１つのスイッチトランジスタが、ピクセル回路の劣化の量の電流又は電圧表示をモニタに運ぶために、選択ラインまたは別の選択ラインによって作動されるモニタリングスイッチトランジスタであり、モニタリングサイクル中、モニタリングスイッチトランジスタが、エミッション制御トランジスタおよびストレージキャパシタの両方に結合されることを特徴とする請求項１８に記載のピクセル回路。
【請求項２３】
エミッショントランジスタおよびストレージキャパシタが、駆動トランジスタのソース端子とゲート端子との間に直列に結合されることを特徴とする請求項１８に記載のピクセル回路。
【請求項２４】
前記発光デバイスが、有機ＬＥＤを包含することを特徴とする請求項１８に記載のピクセル回路。
【請求項２５】
発光デバイスを駆動するためのピクセル回路であって、
駆動トランジスタにわたって印加される駆動電圧によって発光デバイスを介して電流を駆動するための駆動トランジスタと、
プログラミングサイクル中、駆動電圧でチャージされるストレージキャパシタと、
プログラミングサイクル中、ストレージキャパシタを駆動電圧でチャージするのに十分な電圧を提供する１またはそれ以上のデータラインまたはリファレンスラインにストレージキャパシタを接続するための１又はそれ以上のスイッチトランジスタと、
ストレージキャパシタが、発光デバイスのキャパシタンスと独立してチャージされるように、プログラミングサイクル中、発光デバイスからストレージキャパシタを切断するために、エミッションラインによって作動されるエミッション制御トランジスタと
を有することを特徴とするピクセル回路。
【請求項２６】
エミッション制御トランジスタがターンオンされている間、発光デバイスが、駆動トランジスタから電流を受けるように、エミッション制御トランジスタが、駆動トランジスタと発光デバイスとの間に直列に接続されることを特徴とする請求項２５に記載のピクセル回路。
【請求項２７】
プログラミングサイクル中、プログラミング情報によってプログラムされ、エミッションサイクル中、プログラム情報によって光を発光するように駆動されるピクセル回路であって、
エミッションサイクル中、光を発光させるための発光デバイスと、
エミッションサイクル中、発光デバイスを介して光を運ぶための駆動トランジスタであって、電流が、駆動トランジスタのソース端子とゲートにわたる電圧によって運ばれることを特徴とする駆動トランジスタと、
プログラミングサイクル中、プログラミング情報の少なくとも一部に基づく電圧でチャージされるストレージキャパシタであって、駆動トランジスタのゲートとソース端子にわたって接続されることを特徴とするストレージキャパシタと、
駆動トランジスタのソース端子をデータラインに接続する第１のスイッチトランジスタと、
を包含するピクセル回路と、
駆動トランジスタのソース端子に接続されるストレージキャパシタの端子に電圧を印加することによってデータラインを介してピクセル回路をプログラミングするためのドライバと、
ピクセル回路のエージング劣化の電圧または電流表示を抽出するためのモニタと、
前記モニタおよび前記ドライバを作動させるためのコントローラであって、
劣化の量の表示をモニタから受け取り、
発光デバイスから発光された光の量のデータ入力表示を受け取り、
劣化の量に基づいてピクセル回路に提供するための補償の量を判断し、
ピクセル回路をプログラムするようにドライバにプログラミング情報を提供する
ように構成されるコントローラと
を有し、
前記プログラミング情報が、補償の所定の量および受け取られたデータ入力の少なくとも一部に基いている
ことを特徴とするディスプレイシステム。
【請求項２８】
前記ピクセル回路が、駆動トランジスタのゲート端子をリファレンスラインに接続する第２のスイッチトランジスタを更に包含することを特徴とする請求項２７に記載のディスプレイシステム。
【請求項２９】
第１および第２のスイッチトランジスタが、共通の選択ラインによって作動されることを特徴とする請求項２８に記載のディスプレイシステム。
【請求項３０】
ストレージキャパシタが、データラインの電圧とリファレンス電圧との間の差によってチャージされるように、プログラミングサイクル中、前記コントローラが、リファレンスラインにリファレンス電圧を印加するように更に構成されることを特徴とする請求項２９に記載のディスプレイシステム。
【請求項３１】
プログラミングサイクル中、前記コントローラが、補償電圧をリファレンスラインに印加するように更に構成され、
前記補償電圧が、補償の所定の量に基いていることを特徴とする請求項２９に記載のディスプレイシステム。
【請求項３２】
ディスプレイパネルを形成するために行および列のアレイに配置された複数の同様のピクセル回路を更に有し、
前記コントローラが、ディスプレイパネルの各ピクセル回路に関するエージング劣化の表示を抽出し、ディスプレイパネルの各ピクセル回路に関する補償の量を判断し、それぞれの補償の所定の量によってディスプレイパネルの各ピクセル回路をプログラムするように構成されることを特徴とする請求項２７に記載のディスプレイシステム。
【請求項３３】
前記発光デバイスが、発光ダイオードを包含することを特徴とする請求項２７に記載のディスプレイシステム。
【発明の詳細な説明】
【技術分野】
【０００１】
[0001]  本開示は全体的に、ディスプレイに用いられる回路、および、ディスプレイを駆動し、調整し、プログラムする方法に関し、特に、アクティブ・マトリックス有機発光ダイオードディスプレイのようなディスプレイに関する。
【背景技術】
【０００２】
[0002]  ディスプレイは、回路を表示情報によってプログラムされ、表示情報に従う光を発するために選択的に制御するためのトランジスタを有している個々の回路（すなわちピクセル回路）によって、各々制御される発光デバイスのアレイから作製されることができる。基板に製作される薄膜トランジスタ（「TFT」）は、この種のディスプレイに組み込まれることができる。ディスプレイがエージングするにつれ、TFTはディスプレイパネル全体の、そして、時間にわたる非同一の挙動を示す傾向がある。補償技術は、ディスプレイ全体のイメージ均一性を達成して、ディスプレイの劣化を説明するためにディスプレイエージングのようなディスプレイに適用されることができる。
【０００３】
[0003]  ディスプレイパネル全体のバリエーションを占め、時間とともに時間を測定するモニタシステムを利用するためにディスプレイに補償にピクセル回路のエージング（すなわち劣化）と関連する従属するパラメータを提供する。測定された情報は、それからいかなる測定された劣化もプログラミングにされる調整によって説明されることを確実にするために次のプログラミングにピクセル回路を知らせるために用いることができる。この種のモニタされたピクセル回路は、追加的なトランジスタおよび／またはラインの使用が選択的にピクセル回路をモニタシステムに連結し、情報を読み出すことを提供することを必要とすることができる。追加的なトランジスタおよび／またはラインの組入は、望ましくなくピクセル-ピッチ（すなわち「ピクセル密度」）を減少させることができる。
【発明の概要】
【課題を解決するための手段】
【０００４】
[0004] 本開示の態様は、補償をピクセルエージングに提供するように構成されるモニタされたディスプレイに、適切なピクセル回路を提供する。本願明細書において開示されるピクセル回路構成は、モニタが電流および／またはピクセル回路の性能劣化の量を表す電圧を測定することができるように、モニタがモニタスイッチ・トランジスタを介してピクセル回路のノードにアクセスするのを許す。本開示の態様は、更にスイッチングトランジスタの抵抗から独立しているピクセルをプログラムすることを考慮に入れるピクセル回路構成を提供する。ストレージキャパシタに対する費用がプログラム動作の間、ドライブトランジスタで電流に影響を受けないように、本願明細書において開示されるピクセル回路構成はドライブトランジスタからピクセル回路の範囲内でストレージキャパシタを分離するためのトランジスタを含む。
【０００５】
[0005]  本開示のいくつかの実施形態によれば、ディスプレイアレイのピクセルに補償するシステムが、提供される。システムは、ピクセル回路、ドライバ、モニタおよびコントローラを含むことができる。ピクセル回路は、プログラム・サイクルの間、プログラム情報によってプログラムされて、エミッションサイクルの間、プログラム情報に従う光を発するようにされる。ピクセル回路は、発光デバイス、ドライブトランジスタ、ストレージキャパシタおよびエミッション制御トランジスタを含む。発光デバイスは、エミッションサイクルの間、光を発する。ドライブトランジスタは、エミッションサイクルの間、発光デバイスによる電流を運搬する。ストレージキャパシタは、プログラム・サイクルの間、ある程度少なくともプログラム情報に基づく電圧でチャージされる。エミッション制御トランジスタは、ドライブトランジスタおよびストレージキャパシタの間、エミッションサイクル、発光デバイスのうちの少なくとも2つを選択的に接続するために配置され、電流はストレージキャパシタの電圧に従うドライブトランジスタを経た発光デバイスによって運搬される。ドライバは、プログラム情報によるストレージキャパシタを満たすことによってデータ・ラインを経たピクセル回路をプログラムする。モニタは、電圧またはピクセル回路のエージング性能劣化を表す電流を抜き取るためにある。コントローラは、モニタおよびドライバを作動する。コントローラは、モニタから劣化の量の指示を受け入れ、発光デバイスから発される輝きの量を表すデータ入力を受信し、劣化の量に基づいてピクセル回路に与えるために補償の量を決定し、ピクセル回路をプログラムするためにドライバにプログラム情報を提供するるように構成される。プログラム情報は、受け取られるデータ入力上の一部および補償の決定された量において少なくとも基礎を形成される。
【０００６】
[0006]  本開示のいくつかの実施形態によれば、発光デバイスを動かすためのピクセル回路は、提供される。ピクセル回路は、ドライブトランジスタ、ストレージキャパシタ、エミッション制御トランジスタおよび少なくとも一つのスイッチ・トランジスタを含む。ドライブトランジスタは、ドライブトランジスタ全体に印加される駆動電圧による発光デバイスによる駆動電流のためにある。ストレージキャパシタは、駆動電圧については、プログラム・サイクルの間、充電される。エミッション制御トランジスタはドライブトランジスタ、発光デバイスおよびストレージキャパシタのうちの少なくとも2つを接続し、ストレージキャパシタにチャージする電圧によるエミッションサイクルの間、電流はドライブトランジスタで運搬される。少なくとも一つのスイッチ・トランジスタは、モニタサイクルの間、ドライブトランジスタで電流に基づいてエージング情報の指示を受け入れるためのモニタに、電流経路をドライブトランジスタ経由で接続するためにある。
【０００７】
[0007]  本開示のいくつかの実施形態によれば、ピクセル回路は提供される。ピクセル回路は、ドライブトランジスタ、ストレージキャパシタ、一つ以上のスイッチ・トランジスタおよびエミッション制御トランジスタを含む。ドライブトランジスタは、ドライブトランジスタ全体に印加される駆動電圧による発光デバイスによる駆動電流のためにある。ストレージキャパシタは、駆動電圧については、プログラム・サイクルの間、充電される。一つ以上のスイッチ・トランジスタは、ストレージキャパシタを、プログラム・サイクルの間、ストレージキャパシタに駆動電圧を課すのに十分な電圧を印加している一つ以上のデータ・ラインまたはリファレンスラインに接続する。エミッション制御トランジスタは、輝線によって作動される。エミッション制御トランジスタはプログラム・サイクルの間、発光デバイスからストレージキャパシタを分離し、発光デバイスの静電容量から独立しているストレージキャパシタは満たされる。
【０００８】
[0008]  本開示のいくつかの実施形態によってディスプレイシステムは提供される。ディスプレイシステムは、ピクセル回路、ドライバ、モニタおよびコントローラを含む。ピクセル回路は、プログラム・サイクルの間、プログラム情報によってプログラムされて、エミッションサイクルの間、プログラム情報に従う光を発するようにされる。ピクセル回路は、エミッションサイクルの間、光を発するための発光デバイスを含む。ピクセル回路も、エミッションサイクルの間、発光デバイスによる電流を運搬するためのドライブトランジスタを含む。電流は、ゲート全体の電圧およびドライブトランジスタのソース端子によって運搬されることができる。ピクセル回路も、プログラム・サイクルの間、ある程度少なくともプログラム情報に基づく電圧でチャージされるためのストレージキャパシタを含む。ストレージキャパシタは、ドライブトランジスタのゲートおよびソース端子全体に接続される。ピクセル回路も、データ・ラインにドライブトランジスタのソース端子を接続している第1のスイッチ・トランジスタを含む。ドライバは、電圧をドライブトランジスタのソース端子に接続しているストレージキャパシタの端子に印加することによってデータ・ラインを経たピクセル回路をプログラムする。モニタは、電圧またはピクセル回路のエージング性能劣化を表す電流を抜き取る。コントローラは、モニタおよびドライバを作動する。コントローラは、モニタから劣化の量の指示を受け入れ、発光デバイスから発される輝きの量を表すデータ入力を受信し、劣化の量に基づいてピクセル回路に与えるために補償の量を決定し、ピクセル回路をプログラムするためにドライバにプログラム情報を提供する、ように形成される。プログラム情報は、受け取られるデータ入力上の一部および補償の決定された量において少なくとも基礎を形成される。
【０００９】
[0009]  前述の更なる態様および本発明の実施形態は、図面を参照して、さまざまな実施形態および／または態様の詳細な説明からみて、当業者にとって明らかである。
【００１０】
[0010]  本発明の前述の、そして他の効果は、図面を参照して以下の詳細な説明を読むと即座に明らかになろう。
【図面の簡単な説明】
【００１１】
【図１】[0011]  図1は、ピクセルの劣化をモニタして、それゆえ、補償を提供するシステムの典型的な構成を例示する。
【図２Ａ】[0012]  図2Aは、ピクセルに関する典型的な駆動回路の回路図である。
【図２Ｂ】[0013]  図2Bは、図2Aに示されるピクセルのための典型的な動作サイクルの概略タイミング図である。
【図３Ａ】[0014]  図3Aは、ピクセルに関する典型的なピクセル回路構成のための回路図である。
【図３Ｂ】[0015]  図3Bは、図3Aにおいて例示されるピクセルを作動するためのタイミング図である。
【図４Ａ】[0016]  図4Aは、ピクセルのための典型的なピクセル回路構成のための回路図である。
【図４Ｂ】[0017]  図4Bは、図4Aにおいて例示されるピクセルを作動するためのタイミング図である。
【図５Ａ】[0018]  図5Aは、ピクセルのための典型的なピクセル回路構成のための回路図である。
【図５Ｂ】[0019]  図5Bは、プログラム位相およびエミッション位相の図5Aにおいて例示されるピクセルを作動するためのタイミング図である。
【図５Ｃ】[0020]  図5Cは、ドライブトランジスタの態様を測定するためにTFTモニタ位相の図5Aにおいて例示されるピクセルを作動するためのタイミング図である。
【図５Ｄ】[0021]  図5Dは、OLEDの態様を測定するためにOLEDモニタ位相の図5Aにおいて例示されるピクセルを作動するためのタイミング図である。
【図６Ａ】[0022]  図6Aは、ピクセルのための典型的なピクセル回路構成のための回路図である。
【図６Ｂ】[0023]  図6Bは、プログラム位相およびエミッション位相の図6Aにおいて例示されるピクセル240を作動するためのタイミング図である。
【図６Ｃ】[0024]  図6Cは、ドライブトランジスタのモニタ態様に図6Aにおいて例示されるピクセルを作動するためのタイミング図である。
【図６Ｄ】[0025]  図6Dは、OLEDの態様を測定するために図6Aにおいて例示されるピクセルを作動するためのタイミング図である。
【図７Ａ】[0026]  図7Aは、ピクセルのための回路を駆動している典型的なピクセルのための回路図である。
【図７Ｂ】[0027]  図7Bは、プログラム位相およびエミッション位相の図7Aにおいて例示されるピクセルを作動するためのタイミング図である。
【図７Ｃ】[0028]  図7Cは、ドライブトランジスタの態様を測定するためにTFTモニタ位相の図7Aにおいて例示されるピクセルを作動するためのタイミング図である。
【図７Ｄ】[0029]  図7Dは、OLEDの態様を測定するためにOLEDモニタ位相の図7Aにおいて例示されるピクセルを作動するためのタイミング図である。
【発明を実施するための形態】
【００１２】
[0030]  本発明はさまざまな変更態様および別の実施形態に影響され、特定の実施形態を例証として図面に示し、本願明細書において詳述する。しかし、本発明は、開示される特定の形式に限定されないことは、理解されなければならない。むしろ、本発明は全ての変更態様をカバーすることであり、等価の範囲および変形例は、添付の特許請求の範囲に記載の本発明の精神と範囲に入る。
【００１３】
[0031]  図1は、典型的なディスプレイシステム50の線図である。ディスプレイシステム50は、アドレス・ドライバ8、データ・ドライバ4、コントローラ2、メモリ記憶装置6およびディスプレイパネル20を含む。ディスプレイパネル20は、行および列に配置されるピクセル10の列を含む。各々のピクセル10は、個々にプログラム可能な輝き値を有する光を発するために個々にプログラム可能である。コントローラ2は、ディスプレイパネル20に表示される情報を表すデジタルデータを受信する。コントローラ2は、データドライバ4及びスケジューリング信号34が示す情報を表示する表示パネル20の画素10を駆動するためのアドレスドライバ8に信号32を送信する。
表示パネル20に関連付けられた複数の画素10は、このようにディスプレイアレイ（「ディスプレイスクリーン」）が動的に制御装置2が受信し、入力デジタルデータに応じた情報を表示するように適合して包含する。例えば、ディスプレイスクリーンはコントローラ2によって受け取られるビデオ・データの流れから、ビデオ情報を表示することができる。供給電圧14は、定出力電圧を印加することができるかまたはコントローラ2から信号によって制御される調節可能な電源でありえる。ディスプレイシステム50はまた、それによって画素10のためのプログラミング時間を減少させるために、表示パネル20における画素10にバイアス電流を提供するために電流源またはシンク（図示せず）からの機能を組み込むことができる。
【００１４】
[0032]  説明の便宜上、図1のディスプレイシステム50は、ディスプレイパネル20の4つのピクセル10だけで例示される。類似したピクセル（例えばピクセル10）の列を含むディスプレイスクリーンによって、ディスプレイシステム50が実装されることができ、ディスプレイスクリーンが行の特定の数およびピクセルの列に限られていないと理解される。例えば、ディスプレイシステム50は多くの行を有するディスプレイスクリーンおよび共通にモバイル手段、モニタ・ベースの手段および／または投影装置のためのディスプレイにおいて利用できるピクセルの列によって実装されることができる。
【００１５】
[0033]  ドライブトランジスタおよび発光デバイスを全体として含む駆動回路（「ピクセル回路」）によって、ピクセル10は作動される。以下のとおり、ピクセル10はピクセル回路に関連することができる。発光デバイスは任意の有機発光ダイオードであるが、しかし、本開示の実現形態は電流駆動発光デバイスを含む他のエレクトロルミネセンス装置を有するピクセル回路にあてはまる。ピクセル10のドライブトランジスタは任意にｎ型であるかｐ型アモルファスシリコン薄膜トランジスタであるが、しかし、本開示の実現形態はトランジスタの特定の極性を有するピクセル回路にまたは薄膜トランジスタを有するピクセル回路だけに限られない。ピクセル回路10はまた、プログラム情報を格納して、ピクセル回路10が対象にされた後に発光デバイスを動かすことができるためのストレージキャパシタを含むことができる。このように、ディスプレイパネル20はアクティブ・マトリックスディスプレイアレイでありえる。
【００１６】
[0034]  図１に図示したように、ディスプレイパネル20の左上ピクセルとして例示するピクセル10は、選択されたライン24j、供給ライン26j、データ・ライン22iおよびモニタライン28iに連結する。実施において、供給電圧14は、また、ピクセル10に第２の供給ラインを提供することができる。例えば、各々のピクセルはVddでチャージされる第1の供給ラインおよびVssに連結する第２の供給ラインに連結することができ、ピクセル回路10はピクセル回路のエミッション位相の間、2本の供給ライン間の駆動電流を促進するために第１および第２の供給ラインの間であることができる。ディスプレイパネル20の左上ピクセル10は、1ピクセル、ディスプレイパネル20の「jth（第ｊ行）」および「ith（第ｉ列）」のディスプレイパネルにおいて一致することができる。同様に、ディスプレイパネル20の右上ピクセル10は、「jth」行および「mth」列を表し;左下ピクセル10は、「ｎth」行および「ith」列を表し;右下ピクセル10は、「ｎth」行および「ith」列を表す。ピクセル10の各々は、適当な選択ライン（例えば、選択ライン24jおよび24n）、供給ライン（例えば供給ライン26jおよび26n）、データ・ライン（例えばデータ・ライン22iおよび22m）およびモニタのライン（例えばモニタライン28iおよび28m）に連結する。本開示の態様が、更なる接続（例えば追加的な選択ラインへの接続）を有するピクセルに、そして、より少しの接続（例えばモニタ線への接続が欠如しているピクセル）を有するピクセルにあてはまる点に注意される。
【００１７】
[0035]  ディスプレイパネル20に示される左上ピクセル10に関し、選択された第24jは、アドレス・ドライバ8によって提供され、例えば、スイッチまたはトランジスタを起動させることによってピクセル10のプログラム動作がデータ・ライン22iがピクセル10をプログラムすることができることを可能にするために利用されることができる。データ・ライン22iは、データ・ドライバ4からピクセル10までプログラム情報を伝達する。例えば、データ・ライン22iはピクセル10が輝きの所望の量を発するようにプログラムするようにプログラム電圧またはプログラム電流をピクセル10に印加するために利用することができる。データ・ライン22iを経たデータ・ドライバ4によって供給されるプログラム電圧（またはプログラム電流）は、ピクセル10にコントローラ2によって受け取られるデジタルデータに従う輝きの所望の量を有する光を発させるために適当な電圧（または電流）である。プログラム電圧（またはプログラム電流）はピクセル10（例えばストレージキャパシタ）の中で、記憶装置に充電するためにピクセル10のプログラム動作の間、ピクセル10に印加されることができ、それによってピクセル10がプログラム動作に続いているエミッション動作の間、輝きの所望の量を有する光を発することを可能にする。例えば、ピクセル10の記憶装置はエミッション作動中、電圧をゲートの一つ以上に印加するプログラム動作またはドライブトランジスタのソース端子の間、充電されることがあり、それによってドライブトランジスタに記憶装置に保存される電圧による発光デバイスによる駆動電流を運搬させる。
【００１８】
[0036]  通常、ピクセル10で、ピクセル10のエミッション作動中、ドライブトランジスタによって発光デバイスによって伝達される駆動電流は、第1の供給第26j行によって出力されて、第２の供給ライン（図示せず）に排出される電流である。第１の供給ライン22jおよび第２の供給ラインは、電源14に連結する。第１の供給ライン第26jは陽供給電圧（例えば「Vdd」としての回路設計において一般に呼称する電圧）を印加することができ、第２の供給ラインは負の供給電圧（例えば「vss」としての回路設計において一般に呼称する電圧）を印加することができる。供給ライン（例えば供給ライン26j）のどちらか一方が接地点電圧でまたは他の基準電圧で固定する所で、本開示の実現形態は理解されることができる。
【００１９】
[0037] ディスプレイシステム50も、モニタシステム12を含む。ディスプレイパネル20の左上ピクセル10を再び参照すると、モニタライン28iは、ピクセル10をモニタシステム12に接続する。モニタシステム12は、データ・ドライバ4と統合されることができ、または別々の独立のシステムでありえる。特に、モニタシステム12はピクセル10のモニタ動作の間、データ・ライン22iの電流および／または電圧をモニタすることによって任意に実装されることができる、モニタライン28iは完全に省略されることができる。その上、ディスプレイシステム50はモニタシステム12またはモニタライン28iなしで実装されることができる。モニタライン28iによって、モニタシステム12がピクセル10と関連する電流または電圧を測定し、それによってピクセル10の性能劣化を表す情報を抜き取ることができる。例えば、測定された電流に基づき、および、測定値の間、ドライブトランジスタに印加される電圧に基づいてモニタライン28i（それによって、そして、ピクセル10の中でドライブトランジスタの中を流れることは決定する電流）を経て、モニタシステム12は、ドライブトランジスタまたはそれのシフトの出発点電圧を抜き取ることができる。
【００２０】
[0038]  モニタシステム12はまた、発光デバイスの作動電圧を抜き取ることができる（電圧が発光デバイス全体に落ちて、例えば発光デバイスが、光を発するために作動している）。モニタシステム12は、それからディスプレイシステム50が抜き取られた劣化情報をメモリ6に格納することができるようにコントローラ2および／またはメモリ6に信号32を通信することができる。ピクセル10の次のプログラムおよび／またはエミッション作動中、劣化情報はメモリ信号36を経たコントローラ2によって、メモリ6から取り出される、コントローラ2はそれから次のプログラミングの引き出された劣化情報および／またはピクセル10のエミッション動作を補償する。例えば、一旦劣化情報が抜き取られるならば、ピクセル10がピクセル10の性能劣化から独立している輝きの所望の量を有する光を発するように、データ・ライン22iを経たピクセル10へ運搬されるプログラム情報はピクセル10の次のプログラム動作中、適切に調整されることができる。ある実施形態では、ピクセル10の中のドライブトランジスタの閾値電圧の増加は、ピクセル10に印加されるプログラム電圧を適切に増やすことで補償されることができる。
【００２１】
[0039]  図2Aは、ピクセル100のための典型的な駆動回路の回路図である。図1Aに示される駆動回路は、プログラムに利用され、モニタして、ピクセル100を動かして、有機発光ダイオード（「OLED」）で、駆動電流を運搬するためのドライブトランジスタ114を含む110。OLED 110は、OLED 110を通過する電流に従う光を発して、いかなる電流駆動発光デバイスもと取り替えられることができる。ピクセル100は、図1と関連して記載されているディスプレイシステム50のディスプレイパネル20において利用されることができる。
【００２２】
[0040]  ピクセル100のための駆動回路も、ストレージキャパシタ118、スイッチングトランジスタ116およびデータスイッチングトランジスタ112を含む。ピクセル100は、基準電圧ライン102行、選択ライン104、電源ライン106行およびデータ/モニタライン108に連結する。ドライブトランジスタ114は、ドライブトランジスタ114のゲート端子およびドライブトランジスタ114のソース端子全体のゲート-ソース電圧（「Vgs」）に従う電源ライン106から、電流を引き出す。例えば、ドライブトランジスタ114の飽和モードで、ドライブトランジスタを通過している電流は、Ids =β（Vgs−Vt)2によって与えられることができ、ここでβは、駆動トランジスタ114のデバイス特性に依存するパラメータであり、Idsは駆動用トランジスタ114のソース端子は駆動トランジスタ114のドレイン端子からの電流であり、Vtは、駆動トランジスタ114の閾値電圧である。
【００２３】
[0041]  ピクセル100では、ストレージキャパシタ118はドライブトランジスタ114のゲート端子およびソース端子全体に連結される。ストレージキャパシタ118は、ゲート側端子118gととして便宜上参照される第1の端子118グラム、及びソース側端子118Sとして便宜上参照される第二端子118Sを有する。蓄積容量118のゲート側端子118gが電気的に駆動トランジスタ114のゲート端子に接続されている。蓄積容量118のソース側端子118Sは、電気的に駆動トランジスタ114のソース端子に接続されている。したがって、駆動トランジスタ114のゲート・ソース間電圧Vgsは、ストレージ・キャパシタ118にチャージされた電圧である。更に下で説明されるように、ストレージキャパシタ118はピクセル100のエミッション位相の間、それによってドライブトランジスタ114全体の駆動電圧を維持することができる。
【００２４】
[0042] ドライブトランジスタ114のドレイン端子は、電気的に電源ライン106に連結する。ドライブトランジスタ114のソース端子は、電気的にOLED 110の陽極端子に連結する。OLED 110の陰極端子は、接地点に接続していることができ、または任意に第２の電源線（例えば供給ラインVss）に接続することができる。このように、OLED 110はドライブトランジスタ114の電流経路と直列に接続される。一旦、OLEDの陽極および陰極端子全体の電圧劣化がOLED 110の作動電圧（「VOLED」）が成し遂げられるならば、OLED 110はOLED 110を通過している電流に従う光を発する。すなわち、陽極端子の電圧および陰極端子の電圧の違いが作動電圧VOLEDより大きいときに、OLED 110は光をつけて発する。陰極電圧に対する陽極がVOLED未満のときに、電流はOLED 110を通過しない。
【００２５】
[0043]  スイッチングトランジスタ116は、選択ライン104（例えば、選択ライン104が高水準、116が向けられるスイッチングトランジスタおよび選択ライン104が低いレベルにある時であるときに、スイッチングトランジスタはオフにされる）によって作動される。オンにされるときに、スイッチングトランジスタ116は基準電圧ライン102行に電気的にドライブトランジスタ（および、ストレージキャパシタ118のゲート側端子118g）のゲート端子を連結する。図1Bと関連しての下で更に記載されているように、基準電圧ライン102は接地点電圧または固定された他の基準電圧（「Vref」）に維持されることができ、補償をピクセル100の性能劣化に提供するためにピクセル100のプログラム位相の間、任意に調整されることができる。データスイッチングトランジスタ112は、スイッチングトランジスタ116として同様に選択ライン104によって作動される。なお、これは、トランジスタ112のスイッチングのデータは、必要に応じて画素100の実装では第2選択ラインにより動作させることができることに留意されたい。オンにされるとき、データスイッチングトランジスタ112はデータ/モニタライン108に、電気的にドライブトランジスタ（および、ストレージキャパシタ118のソース側端子118s）のソース端子を連結する。
【００２６】
[0044]  図2Bは、図2Aに示されるピクセル100のための典型的な動作サイクルの概略タイミング図である。ピクセル100は、モニタ位相121、プログラム位相122およびエミッション位相123において作動されることができる。モニタ位相121の間、選択ライン104は高く、スイッチングトランジスタ116およびデータスイッチングトランジスタ112は両方ともターンオンされる。データ/モニタライン108は、較正電圧（「Vcal」）で固定される。データスイッチングトランジスタ112がターンオンされるので、較正電圧VcalはOLED 110の陽極端子に適用される。OLED 110の陽極および陰極端子全体に印加される電圧がOLED 110の作動電圧VOLED未満であるように、Vcalの値は選択され、したがって、OLED 110は電流を引かない。OLED 110（すなわち、OLED 110が電流を引かないことを確実にするのに十分な）をオフにするのに十分なレベルで、Vcalをセットすることによって、モニタ相121の間のドライブトランジスタ114による流れる電流は、OLED 110を通過しなくて、データ/モニタライン108で、その代わりに進行する。このように、モニタ位相121の間、Vcalでデータ/モニタライン108を固定することによって、データ/モニタライン108上の電流は、ドライブトランジスタ114で引かれている電流である。データ/モニタライン108は、それからモニタ相121の間の電流を判断して、それによってピクセル100の性能劣化を表す情報を抜き取るモニタシステム（例えば図1に示されるモニタシステム12）に連結することができる。例えば、リファレンス電流値を有するモニタ位相121の間、データ/モニタライン108行に判断される電流を分析することによって、ドライブトランジスタの閾値電圧（「Vt」）は、決定されることができる。閾値電圧のこの種の決定は、基準電圧Vrefの値に基づいて、測定された電流を予想される電流と比較することによって行われることができ、較正電圧Vcalはドライブトランジスタ114のゲートおよび、それぞれ、ソース端子にあてはまる。例えば、関係
Imeas = Ids =β(Vgs - Vt)2 = β(Vref - Vcal - Vt)2
は以下のように再配置して与えられる
Vt = Vref - Vcal - ( Imeas /β) 1/2
[0045]  さらにまたは代わりに、画素100の劣化（例えば、Vtの値）を比較し、比較に応じて増分的に更新されるImeasと予想電流とImeasの値の推定値との間に形成されることを特徴と段階的な方法に従って抽出することができる（例えば、Imeasが期待電流よりもより小さいか、大きいかを決定することに基づいて）。上記の説明がモニタ位相121の間、データ/モニタライン108上の電流を判断することを述べると共に、電流をデータ/モニタライン108に取り付けられると共に、モニタ位相121がデータ/モニタライン108の電圧を測定することを含むことができる点に注意すべきである。さらに、モニタ位相121は間接的に、例えば、負荷全体の電圧劣化を測定することによってデータ/モニタライン108上の電流を判断することを含むことができ、電流コンベヤを経て提供されるデータ/モニタライン108上の電流にまたはデータ/モニタライン108上の電流を受信する現在の制御電圧源から、電圧出力を測定することによって関する電流を判断する。
【００２７】
[0046]  プログラム位相122の間、選択ライン104は高いままであり、スイッチングトランジスタ116およびデータスイッチングトランジスタ112は、したがって、オンにされるままである。基準電圧ライン102は、Vrefで固定するままであることができるかまたは適当な補償電圧（「Vcomp」）によって、任意にピクセル100（例えばモニタ位相121の間、決定される劣化）の性能劣化を説明するように調整されることができる。例えば、Vcompはドライブトランジスタ114の閾値電圧Vtの変動を説明するのに十分な電圧である。電圧Vref（またはVcomp）は、ストレージキャパシタ118のゲート-側端子118gに適用される。また、プログラム位相122の間、データ/モニタライン108はプログラム電圧（「Vprog）に合う。そして、それはストレージキャパシタ118のソース-側端子118sに適用される。プログラム位相122の間、ストレージキャパシタ118は基準電圧ライン102上のVref（またはVcomp）およびデータ/モニタライン108上のVprogの違いによって与えられる電圧を任される。
【００２８】
[0047]  本開示の一態様によれば、ピクセル100の性能劣化は、プログラム位相122の間、ストレージキャパシタ118の補償電圧Vcompをゲート側端子118gに適用することで補償される。例えば、ピクセル100が機械の応力、エージング、温度バリエーション、その他のために解体するにつれて、ドライブトランジスタ114の閾値電圧Vtはシフトすることができ（例えば、増加する）、したがって、より大きいゲート-ソース電圧Vgsはドライブトランジスタ114全体にOLED 110で所望の駆動電流を維持することを必要とする。実装形態では、データ/モニタライン108を経たモニタ位相121の間、Vtの変動は最初に測定されることができ、そうすると、Vcompがプログラム電圧Vprogから切り離す補償電圧を印加することによるプログラム位相122の間、Vtの変動はストレージキャパシタ118のゲート-側端子118gを補償することができる。さらにまたは代わりに、補償はストレージキャパシタ118のソース側端子118sに適用されるプログラム電圧Vprogの調整を経て提供されることができる。さらに、OLED 110がプログラム位相122の間、光を発するのが防止されるように、プログラム電圧Vprogは好ましくはプログラム位相122の間、OLED 110をオフにするのに十分な電圧である。
【００２９】
[0048]  ピクセル100のエミッション位相123の間、選択ライン104は低く、スイッチングトランジスタ116およびデータスイッチングトランジスタ112は両方ともオフにされる。ストレージキャパシタ118はVref（またはVcomp）の違いによって与えられる駆動電圧でチャージされるままであり、Vprogはプログラム位相122の間、ストレージキャパシタ118全体に印加される。スイッチングトランジスタ116およびデータスイッチングトランジスタ112がオフにされたあと、ストレージキャパシタ118は駆動電圧を維持し、ドライブトランジスタ114は電源ライン106から駆動電流を引き出す。OLED 110に通される電流の量に従う光を発するOLED 110で、駆動電流は、それから運搬される。エミッション位相123の間、OLED 110（および、ストレージキャパシタのソース-側端子118s）の陽極端子は、OLED 110の作動電圧VOLEDに、プログラム位相122の間、適用されるプログラム電圧Vprogから変化することができる。さらに、駆動電流がOLED 110に通されるにつれて、OLED 110の陽極端子はエミッション位相123のコースを通じて、変化することができる（例えば、増加する）。しかし、エミッション位相123の間、OLED 110の陽極の電圧が変化することができるまさにその時、ストレージキャパシタ118はドライブトランジスタ114のゲート端子の電圧がドライブトランジスタ114のゲート-ソース電圧を維持するように自動調整する。例えば、ソース側端子118s上の調整（例えば、増加）は、プログラム位相122の間、ストレージキャパシタ118に負った駆動電圧を維持するためにゲート-側端子118gに反映される。
【００３０】
[0049]  図2Aにおいて例示される駆動回路がｎ型トランジスタ（薄膜トランジスタでありえて、アモルファスシリコンから形成されることができる）で例示されると共に、図2Aにおいて例示される駆動回路および図2Bにおいて例示される操作のサイクルは一つ以上のＰ型トランジスタを有し、薄膜トランジスタ以外のトランジスタを有する相補型回路まで広げられることができる。
【００３１】
[0050] 図3Aは、ピクセル130のための典型的なピクセル回路構成のための回路図である。ピクセル130のための駆動回路は、ピクセル130をプログラムして、モニタして、動かすために利用される。ピクセル130は、OLED 146で駆動電流を運搬するためのドライブトランジスタ148を含む。OLED 146は、図2Aに示されるOLED 110と類似していて、OLED 146を通過している電流に従う光を発する。OLED 146は、いかなる電流駆動発光デバイスもと取り替えられることができる。ピクセル130は、ピクセル130と関連して記載されている接続線を含む適切な修正については、図1と関連して記載されているディスプレイシステム50のディスプレイパネル20において利用されることができる。
【００３２】
[0051] ピクセル130のための駆動回路もストレージキャパシタ156、第1のスイッチングトランジスタ152および第２のスイッチングトランジスタ154を含み、データがトランジスタ144およびエミッショントランジスタ150を切替える。ピクセル130は、基準電圧ライン140、データ/基準線132、電源ライン136、データ/モニタライン138、選択ライン134および輝線142に連結する。ドライブトランジスタ148は、ドライブトランジスタ148のゲート端子およびドライブトランジスタ148のソース端子全体のゲート-ソース電圧（「Vgs」）およびドライブトランジスタ148の閾値電圧（「Vt」）に従う電源ライン136から、電流を引き出す。ドライブトランジスタ148のドレイン−ソース電流およびゲート-ソース電圧との関係は、図2Aおよび2Bと関連して記載されているドライブトランジスタ114の動作と類似している。
【００３３】
[0052]  ピクセル130において、ストレージキャパシタ156はエミッショントランジスタ150によるドライブトランジスタ148のゲート端子およびソース端子全体に連結される。ストレージキャパシタ156は第一末端156gを有し、それは便宜のためにゲート-側端子156gおよび第２の端子156sと称され、それは便宜のためにソース-側端子156sと称される。ストレージキャパシタ156のゲート-側端子156gは、電気的にエミッショントランジスタ150によるドライブトランジスタ148のゲート端子に連結する。ストレージキャパシタ156のソース-側端子156sは、電気的にドライブトランジスタ148のソース端子に連結する。このように、エミッショントランジスタ150がオンにされるとき、ドライブトランジスタ148のゲート-ソース電圧Vgsはストレージキャパシタ156にチャージする電圧である。エミッショントランジスタ150は、輝線142によって作動される（例えば、発光トランジスタ150が輝線142がハイに設定されるときに表示され、逆も同様である）。更に下で説明されるように、ストレージキャパシタ156はピクセル130のエミッション位相の間、それによってドライブトランジスタ148全体の駆動電圧を維持することができる。
【００３４】
[0053] ドライブトランジスタ148のドレイン端子は、電気的に電源ライン136に連結する。ドライブトランジスタ148のソース端子は、電気的にOLED 146の陽極端子に連結する。OLED 146の陰極端子は、接地点に接続していることができるかまたは任意に第２の電源線（例えば供給ラインVss）に接続していることができる。このように、OLED 146はドライブトランジスタ148の電流経路と直列に接続される。一旦、OLED 146の陽極および陰極端子全体の電圧劣化が2A図および2Bと関連して提供されるOLED 110の説明と同様のOLED 146の作動電圧（「VOLED」）を成し遂げるならば、OLED 146はOLED 146を通過している電流に従う光を発する。
【００３５】
[0054]  第1のスイッチングトランジスタ152、第２のスイッチングトランジスタ154およびデータスイッチングトランジスタ144は、選択ライン134（例えば、選択ライン134が152、154が向けられ、選択ライン134が低いレベルにある高水準によって作動される各々である（トランジスタ144）にあるとき、スイッチングトランジスタ144、152、154はオフにされる）。オンにされるとき、第1のスイッチングトランジスタ152は基準電圧ライン140に電気的にドライブトランジスタ148のゲート端子を連結する。図3Bと関連しての下で更に記載されているように、基準電圧ライン140は固定された第1の基準電圧（「Vref1」）に維持されることができる。データスイッチングトランジスタ144および／または第２のスイッチングトランジスタ154は、ピクセル130の実施態様の第２の選択ラインによって、任意に作動されることができる。オンにされるときに、第２のスイッチングトランジスタ154はデータ/基準線132にストレージキャパシタ156のゲート-側端子156gを電気的に連結する。オンにされるときに、データスイッチングトランジスタ144はストレージキャパシタ156のデータ/モニタライン138行をソース-側端子156sに電気的に連結する。
【００３６】
[0055]  図3Bは、図3Aにおいて例示されるピクセル130を作動するためのタイミング図である。図3Bに示すように、ピクセル130はモニタ位相124、プログラム位相125およびエミッション位相126において作動されることができる。
【００３７】
[0056]  ピクセル130のモニタ位相124の間、輝線142が低く設定されると共に、選択ライン134は高く設定される。エミッショントランジスタ150がオフにされると共に、第1のスイッチングトランジスタ152、第２のスイッチングトランジスタ154およびデータスイッチングトランジスタ144は全てターンオンされる。データ/モニタライン138は較正電圧（「Vcal」）で固定され、基準電圧ライン140は第1の基準電圧Vref1で固定される。基準電圧ライン140は第1のスイッチングトランジスタ152で第1の基準電圧Vref1をドライブトランジスタ148のゲート端子に適用し、データ/モニタライン138はデータスイッチングトランジスタ144で較正電圧Vcalをドライブトランジスタ148のソース端子に適用する。第1の基準電圧Vref1および較正電圧Vcalは、このようにドライブトランジスタ148のゲート-ソース潜在的Vgsを固定する。ドライブトランジスタ148は、このように定められるゲート-ソース電位差に従う電源ライン136から電流を引き出す。較正電圧Vcalはまた、OLED 146の陽極に適用され、都合よくOLED 146をオフにするのに十分な電圧であるのに選ばれる。例えば、較正電圧Vcalは、陽極全体の電圧劣化およびOLED 146の陰極端子にOLED 146の作動電圧VOLED未満にさせることがありえる。OLED 146をオフにすることによって、ドライブトランジスタ148による電流は、OLED 146でよりむしろ完全にデータ/モニタライン138に向けられる。図2Aおよび2Bのピクセル100と関連して、モニタ位相121の説明と類似し、ピクセル130のデータ/モニタライン138で判断される電流は、ピクセル130（例えばドライブトランジスタ148の閾値電圧Vtを表す情報）のための劣化情報を抜き取るために用いることができる。
【００３８】
[0057]  プログラム位相125の間、選択ライン134は高く設定され、輝線142は低く設定される。発光トランジスタ150がオフしている間、モニタ位相124、第1スイッチングトランジスタ152、第2スイッチングトランジスタ154と、トランジスタ144のスイッチングのデータと同様に、すべてオンする。データ/モニタライン138は、プログラム電圧（「Vprog」）に設定され、基準電圧線140は、第1基準電圧Vref1に固定され、データ/基準線132は、第2の基準電圧（「電圧Vref2」に設定される）。プログラム位相125の間、プログラム電圧Vprogがストレージキャパシタ156のソース-側端子156sに適用されると共に、第２の基準電圧Vref2はこのようにストレージキャパシタ156のゲート-側端子156gに適用される。実施において、データ/基準線132は、プログラム位相125の間、第２の基準電圧Vref2で固定するままであることができるよりはむしろ、補償電圧（「Vcomp」）にセット（調整）されることができる。ストレージキャパシタ156は、それから第２の基準電圧Vref2（または補償電圧Vcomp）およびプログラム電圧Vprogの違いによって満たされる。本開示の実現形態もプログラム電圧Vprogがデータ/基準線132に適用されるプログラム位相125の動作を含み、一方、データ/モニタライン138は第２の基準電圧Vref2でまたは補償電圧Vcompで固定される。いずれの動作でも、ストレージキャパシタ156はVprogおよびVref2（またはVcomp）の違いによって与えられる電圧でチャージされる。図2Aおよび2Bに関連して説明した画素100の動作と同様に、 ゲート側端子156グラムに印加される補償電圧Vcompは、例えばモニタ位相124の間に測定劣化、画素回路130の劣化を考慮して適切な電圧である（例えば、駆動トランジスタ148の閾値電圧Vtの増加）。
【００３９】
[0058]  プログラム電圧Vprogは、プログラム位相125の間、OLED 146の陽極端子に適用される。プログラム電圧Vprogは、都合よくプログラム位相125の間、OLED 146をオフにするのに十分であるように選ばれる。例えば、プログラム電圧Vprogは、都合よく陽極全体の電圧劣化およびOLED 146の陰極端子にOLED 146の作動電圧VOLED未満にさせることがありえる。さらにまたは代わりに、第２の基準電圧Vref2がデータ/モニタライン138に適用される実施態様で、第２の基準電圧Vref2は、外れた状態のOLED 146を維持する電圧であるのに選ばれることができる。
【００４０】
[0059]  プログラム位相125の間、ストレージキャパシタ156がデータ/基準線132および／またはデータ/モニタライン138行を経たプログラム情報を受信すると共に、ドライブトランジスタ148は都合よくストレージキャパシタ156から分離される。ドライブトランジスタ148をエミッショントランジスタ150（それは、プログラム位相125の間、それられる）を有するストレージキャパシタ156から分離することによって、ドライブトランジスタ148は都合よくプログラム位相の間、125をオンにするのを防止される。図2Aのピクセル回路100は、プログラム位相122の間、ドライブトランジスタ114をストレージキャパシタ118から分離する手段を欠いている回路の実施形態を提供する。実施形態として、プログラム相122の間のピクセル100で、電圧はドライブトランジスタ114をつけるのに十分なストレージキャパシタ全体に決められる。一旦、ストレージキャパシタ118の電圧が充分であると、ドライブトランジスタ114は電源ライン106から電流を引くことを開始する。電流はOLED 110の中を流れず、それはプログラム位相122（その代わりにデータスイッチングトランジスタ112によるドライブトランジスタ114の流れによる電流）の間、一方に偏る後退である。電流がデータスイッチングトランジスタ112で運搬されるにつれて、電圧劣化は、したがって、データスイッチングトランジスタ112の非零点抵抗のために、データスイッチングトランジスタ112全体に開発される。データスイッチングトランジスタ112全体の電圧劣化は、ソース-側端子118sに適用される電圧にデータ/モニタライン108上のプログラム電圧Vprogと異なるストレージキャパシタ118を生じさせる。違いは、データスイッチングトランジスタ112による流れる電流およびデータスイッチングトランジスタ112の固有の抵抗によって与えられる。
【００４１】
[0060]  再び図3Aおよび3Bに関連して、ピクセル130のエミッショントランジスタ150は、プログラム位相125の間、ストレージキャパシタ156に決められる電圧がプログラム位相125の間、ドライブトランジスタ148のゲート-ソース端子全体に、印加されないことを確実にすることによって上記の結果について述べる。エミッショントランジスタ150は、ドライブトランジスタがピクセル130のプログラム位相125の間、ターンオンされないことを確実にするためにドライブトランジスタ148からストレージキャパシタ156の端子のうちの１つを分離する。エミッショントランジスタ150は、スイッチングトランジスタ144の抵抗から独立している電圧を有するピクセル回路130を（例えば、ストレージキャパシタ156を満たして）プログラムすることを考慮に入れる。
さらに、Vref1およびVprogの違いによって与えられるゲート-ソース電圧がドライブトランジスタ148がプログラム位相125の間、スイッチを入れるのを防止するのに十分であるように、基準電圧ライン140行に適用される第1の基準電圧Vref1は選ばれることができる。
【００４２】
[0061] ピクセル130のエミッション位相126の間、輝線142が高い間、選択ライン134は低く設定される。第1のスイッチングトランジスタ152、第２のスイッチングトランジスタ154およびデータスイッチングトランジスタ144は、全てオフにされる。エミッショントランジスタ150は、エミッション位相126の間、オンにされる。エミッショントランジスタ150をオンにすることによって、ストレージキャパシタ156はドライブトランジスタ148のゲート端子およびソース端子全体に接続される。ドライブトランジスタ148は、ストレージキャパシタ156に保存されて、ゲート全体に適用される駆動電圧およびドライブトランジスタ148のソース端子に従う電源ライン136行から、駆動電流を引き出す。データスイッチングトランジスタ144がオフにされるので、OLED 146の陽極端子はデータ/モニタライン138によって、プログラム電圧にもはやセットされず、したがって、OLED 146はターンオンされ、OLED 146の陽極端子の電圧はOLED 146の作動電圧VOLEDに適応する。蓄積容量156は、自己調節ソース端子及び/又は1つ以上の他のバリエーションを考慮するように、駆動トランジスタ148のゲート端子の電圧によって蓄電容量156にチャージ駆動電圧を維持する。例えば、例えば、ソース-側端子の156sの電圧が作動電圧VOLEDで定まっているOLED 146の陽極端子のために、エミッションサイクル126の間、変化する場合、ストレージキャパシタ156はドライブトランジスタ148のゲート端子の電圧がゲート全体の駆動電圧およびドライブトランジスタ148のソース端子を維持するように調整する。
【００４３】
[0062]  図3Aにおいて例示される駆動回路がｎ型トランジスタ（それは薄膜トランジスタでよく、アモルファスシリコンから形成されることができる）で例示されると共に、ピクセル130のための図3Aおよび図3Bにおいて例示される操作のサイクルにおいて例示される駆動回路は一つ以上のＰ型トランジスタを有し、薄膜トランジスタ以外のトランジスタを有する相補型回路まで広げられることができる。
【００４４】
[0063]  図4Aは、ピクセル160のための典型的なピクセル回路構成のための回路図である。ピクセル160のための駆動回路は、ピクセル160をプログラムし、モニタし、動かすために利用される。ピクセル160は、OLED 172で駆動電流を運搬するためのドライブトランジスタ174を含む。OLED 172は、図1Aに示されるOLED 110と類似していて、OLED 172を通過している電流に従う光を発する。OLED 172は、いかなる電流駆動発光デバイスと取り替えられることができる。ピクセル160は、データ・ドライバ、アドレス・ドライバ、その他に対する適切な接続方針については、図1と関連して記載されているディスプレイシステム50のディスプレイパネル20において利用されることができる。
【００４５】
[0064]  ピクセル160のための駆動回路も、ストレージキャパシタ182、データスイッチングトランジスタ180、モニタ・トランジスタ178およびエミッショントランジスタ176を含む。ピクセル160は、データ・ライン162、電源ライン166行、モニタライン168行、選択ライン164および輝線170に連結する。ドライブトランジスタ174は、ドライブトランジスタ174のゲート端子およびドライブトランジスタ174のソース端子全体のゲート-ソース電圧（「Vgs」）およびドライブトランジスタ174の閾値電圧（「Vt」）に従う電源ライン166から、電流を引き出す。ドライブトランジスタ174のドレイン−ソース電流およびゲート-ソース電圧との関係は、図2Aおよび2Bと関連して記載されているドライブトランジスタ114の動作と類似している。
【００４６】
[0065]  ピクセル160において、ストレージキャパシタ182はエミッショントランジスタ176によるドライブトランジスタ174のゲート端子およびソース端子全体に連結される。ストレージキャパシタ182は第一末端182gを有し、便宜のためにゲート-側端子182gおよび第２の端子182sと称され、便宜のためにソース-側端子182sと称される。ゲート-側端子182gは、ストレージキャパシタ182の、電気的にドライブトランジスタ174のゲート端子に連結する。ソース-側端子182sは、ストレージキャパシタ182の、電気的にエミッショントランジスタ176によるドライブトランジスタ174のソース端子に連結する。このように、エミッショントランジスタ176がオンにされるときに、ドライブトランジスタ174のゲート-ソース電圧Vgsはストレージキャパシタ182にチャージする電圧である。エミッショントランジスタ176は、輝線170によって作動される（例えば、輝線170が設定された高いとき、エミッショントランジスタ176はオンにされ、逆もまた同様である）。更に下で説明されるように、ストレージキャパシタ182はピクセル160のエミッション位相の間、それによってドライブトランジスタ174全体の駆動電圧を維持することができる。
【００４７】
[0066] ドライブトランジスタ174のドレイン端子は、電気的に電源ライン166に連結する。ドライブトランジスタ174のソース端子は、電気的にOLED 172の陽極端子に連結する。OLED 172の陰極端子は、接地点に接続していることができ、または任意に第２の電源線（例えば供給ラインVss）に接続していることができる。このように、OLED 172はドライブトランジスタ174の電流経路と直列に接続される。一旦、OLED 172の陽極および陰極端子全体の電圧劣化が図2Aおよび2Bと関連して提供されるOLED 110の説明と同様のOLED 172の作動電圧（「VOLED」）を成し遂げるならば、OLED 172はOLED 172を通過している電流に従う光を発する。
【００４８】
[0067]  データスイッチングトランジスタ180及びモニター用トランジスタ178は、それぞれ、セレクトライン168によって操作される（選択線168がハイレベルのとき、トランジスタ178、180がオンとなり、選択線168がローレベルのとき、トランジスタ178、180をOFFにする）。オンにされるときに、データスイッチングトランジスタ180はデータ・ライン162に電気的にドライブトランジスタ174のゲート端子を連結する。データスイッチングトランジスタ180および／またはモニタ・トランジスタ178は、ピクセル160の実施態様の第２の選択ラインによって、任意に作動されることができる。オンにされるときに、モニタ・トランジスタ178はモニタライン164行にストレージキャパシタ182のソース-側端子182sを電気的に連結する。オンにされるときに、データスイッチングトランジスタ180はストレージキャパシタ182のデータ・ライン162をゲート-側端子182gに電気的に連結する。
【００４９】
[0068]  図4Bは、図4Aにおいて例示されるピクセル160を作動するためのタイミング図である。図4Bに示すように、ピクセル160はモニタ位相127、プログラム位相128およびエミッション位相129において作動されることができる。
【００５０】
[0069]  ピクセル160のモニタ位相127の間、選択ライン164および輝線170は、両方の設定された高さである。データスイッチングトランジスタ180、モニタ・トランジスタ178およびエミッショントランジスタ170は、全てターンオンされる。データ・ライン162は第1の較正電圧（「Vcal」）で固定され、モニタライン168は第２の較正電圧（「Vcal2」）で固定する。第1の較正電圧Vcal1は、データスイッチングトランジスタ180でドライブトランジスタ174のゲート端子に適用される。第２の較正電圧Vcal2は、モニタ・トランジスタ178およびエミッショントランジスタ176によるドライブトランジスタ174のソース端子に適用される。第1の較正電圧Vcal1および第２の較正電圧Vcal2はそれによってドライブトランジスタ174のゲート-ソース潜在的Vgsを固定し、ドライブトランジスタ174はそのゲート-ソース潜在的Vgsに従う電源ライン166から、電流を引き出す。第２の較正電圧Vcal2はまた、OLED 172の陽極に適用されて、都合よくOLED 172をオフにするのに十分な電圧であるのに選ばれる。モニタ位相127の間、OLED 172をオフにすることは、ドライブトランジスタ174による流れる電流がOLED 174を通過しないことを確実にして、エミッショントランジスタ176およびモニタ・トランジスタ178を経たモニタライン168に、その代わりに伝えられる。図2Aおよび2Bのピクセル100と関連して、モニタ位相121の説明と類似してい、モニタライン168で判断される電流は、ピクセル160（例えばドライブトランジスタ174の閾値電圧Vtを表す情報）のための劣化情報を抜き取るために用いることができる。
【００５１】
[0070]  プログラム位相128の間、選択ライン164は高く設定され、輝線170は低く設定される。エミッショントランジスタ176がオフにされると共に、データスイッチングトランジスタ180およびモニタ・トランジスタ178はオンにされる。データ・ライン162はプログラム電圧（「Vprog」）にセットされ、モニタライン168は基準電圧（「Vref」）で固定する。モニタライン164は、任意に基準電圧Vrefよりむしろ補償電圧（「Vcomp」）にセットされることができる。ゲート-側端子182gはストレージキャパシタ182のプログラム電圧Vprogにセットされ、ソース-側端子182sは基準電圧Vref（または補償電圧Vcomp）にセットされる。ストレージキャパシタ182は、プログラム電圧Vprogおよび基準電圧Vref（または補償電圧Vcomp）の違いによって、それによって満たされる。プログラム位相128の間、ストレージキャパシタ182にチャージする電圧は、駆動電圧と称する。駆動電圧は、OLED 172に光の所望の量を発させる所望の駆動電流を起こすためにドライブトランジスタ174全体に適用されるための適当な電圧である。図2Aおよび2Bと関連してピクセル100の動作と類似して、ソース-側端子182sに、任意に適用される補償電圧Vcompは、ピクセル回路160（例えばモニタ位相127（例えばドライブトランジスタ174の閾値電圧Vtの増加）の間、測定される劣化）の性能劣化を説明する適当な電圧である。さらにまたは代わりに、ピクセル160の性能劣化の補償は、ゲート-側端子182gに適用されるプログラム電圧Vprogの調整によって、占められることができる。
【００５２】
[0071]  プログラム位相128の間、ドライブトランジスタ174はエミッショントランジスタ176によってストレージキャパシタ182から分離され、それはプログラム位相128の間、ストレージキャパシタ182からドライブトランジスタ174のソース端子を分離する。図3Aおよび3Bと関連したエミッショントランジスタ150の動作の記述にとって、類似して都合よくプログラム位相128の間、ドライブトランジスタ174およびストレージキャパシタ182を分離することは、ドライブトランジスタ182がプログラム位相128の間、オンにするのを防止する。ドライブトランジスタ174が動いているようになるのを防止することによって、電流がスイッチングトランジスタで運搬されないとき、プログラム位相128の間、ストレージキャパシタ182に印加される電圧は都合よくスイッチングトランジスタの抵抗から独立している。ピクセル160の構成において、エミッショントランジスタ176はまた、プログラム位相128の間、都合よくOLED 172からストレージキャパシタ182を分離し、それはストレージキャパシタ182がプログラム位相128の間、OLED 172の内部静電容量によって影響されるのを防止する。
【００５３】
[0072]  ピクセル160のエミッション位相129の間、輝線170が高い間、選択ライン164は低く設定される。データスイッチングトランジスタ180およびモニタ・トランジスタ178はオフにされ、エミッショントランジスタ176はエミッション位相129の間、オンにされる。エミッショントランジスタ176をオンにすることによって、ストレージキャパシタ182はドライブトランジスタ174のゲート端子およびソース端子全体に接続される。ドライブトランジスタ174は、ストレージキャパシタ182に保存される駆動電圧に従う電源ライン166から、駆動電流を引き出す。OLED 172はターンオンされ、OLED 172の陽極端子の電圧はOLED 172の作動電圧VOLEDに適応する。蓄積容量182は、自己調節ソース端子及び/又は1つ以上の他のバリエーションを考慮するように、駆動トランジスタ174のゲート端子の電圧によって駆動電圧を維持する。例えば、ソース-側端子182sの電圧が作動電圧VOLEDで定まっているOLED 172の陽極端子のために、エミッションサイクル129の間、変化する場合、ストレージキャパシタ182はドライブトランジスタ174のゲート端子の電圧がゲート全体の駆動電圧およびドライブトランジスタ174のソース端子を維持するように調整する。
【００５４】
[0073]  図4Aにおいて例示される駆動回路がｎ型トランジスタ（それは薄膜トランジスタでありえて、アモルファスシリコンから形成されることができる）で例示されると共に、ピクセル160のための図4Aおよび図4Bにおいて例示される操作のサイクルにおいて例示される駆動回路は一つ以上のＰ型トランジスタを有し、薄膜トランジスタ以外のトランジスタを有する相補型回路まで広げられることができる。
【００５５】
[0074]  図5Aは、ピクセル200のための典型的なピクセル回路構成のための回路図である。ピクセル200のための駆動回路は、ピクセル200をプログラムし、モニタし、動かすために利用される。ピクセル200は、OLED 220で駆動電流を運搬するためのドライブトランジスタ214を含む。OLED 220は、図2Aに示されるOLED 110と類似し、OLED 220を通過している電流に従う光を発する。OLED 220は、いかなる電流駆動発光デバイスと取り替えられることができる。ピクセル200は、データ・ドライバ、アドレス・ドライバ、モニタシステムその他への適切な線接続については、図1と関連して記載されているディスプレイパネル20およびディスプレイシステム50に組み込まれることができる。
【００５６】
[0075]  ピクセル200のための駆動回路も、ストレージキャパシタ218、データスイッチングトランジスタ216、モニタ・トランジスタ212およびエミッショントランジスタ222を含む。ピクセル200は、データ・ライン202、電源ライン206行、モニタライン208、選択ライン204および輝線210に連結する。ドライブトランジスタ214は、ドライブトランジスタ214のゲート端子およびドライブトランジスタ214のソース端子全体のゲート-ソース電圧（「Vgs」）およびドライブトランジスタ214の閾値電圧（「Vt」）に従って電源ライン206から、電流を引き出す。ドライブトランジスタ214のドレイン−ソース電流およびゲート-ソース電圧との関係は、図2Aおよび2Bと関連して記載されているドライブトランジスタ114の動作と類似している。
【００５７】
[0076]  ピクセル200において、ストレージキャパシタ218はエミッショントランジスタ222によるドライブトランジスタ214のゲート端子およびソース端子全体に連結される。ストレージキャパシタ218は第一末端218gを有し、それは便宜のためにゲート-側端子218gおよび第２の端子218sと称され、便宜のためにソース-側端子218sと称される。ゲート-側端子218gは、ストレージキャパシタ218の電気的にドライブトランジスタ214のゲート端子に連結する。ストレージキャパシタ218のソース-側端子218sは、エミッショントランジスタ222によるドライブトランジスタ214のソース端子に電気的に連結する。このように、エミッショントランジスタ222がオンにされるときに、ドライブトランジスタ214のゲート-ソース電圧Vgsはストレージキャパシタ218にチャージする電圧である。エミッショントランジスタ222は、輝線210によって作動される（例えば、輝線210が設定された高さであるとき、エミッショントランジスタ222はオンにされ、逆もまた同様である）。更に下で説明されるように、ストレージキャパシタ218はピクセル200のエミッション位相の間、それによってドライブトランジスタ214全体の駆動電圧を維持することができる。
【００５８】
[0077] ドライブトランジスタ214のドレイン端子は、電気的に電源ライン206行に連結する。ドライブトランジスタ214のソース端子は、電気的にエミッショントランジスタ222によるOLED 220の陽極端子に連結する。OLED 220の陰極端子は、接地点に接続していることができ、または任意に第２の電源線（例えば供給ラインVss）に接続することができる。このように、OLED 220はドライブトランジスタ214の電流経路と直列に接続される。一旦、OLED 220の陽極および陰極端子全体の電圧劣化が、図2Aおよび2Bと関連して提供されるOLED 110の説明と同様のOLED 220の作動電圧（「VOLED」）を成し遂げるならば、OLED 220はOLED 220を通過している電流に従う光を発する。
【００５９】
[0078]  データスイッチングトランジスタ216およびモニタ・トランジスタ212は、選択ライン204（例えば、選択ライン204が216が向けられる、そして、選択ライン204が低いレベルにある高水準（トランジスタ212）にあるとき、トランジスタ212、216はオフにされる）によって作動される各々である。オンにされるとき、データスイッチングトランジスタ216はデータ・ライン202に電気的にドライブトランジスタ214のゲート端子を連結する。データスイッチングトランジスタ216および／またはモニタ・トランジスタ212は、ピクセル200の実施態様の第２の選択ラインによって、任意に作動されることができる。オンにされるとき、モニタ・トランジスタ212はモニタライン208行にストレージキャパシタ218の218s電気的にソース-側端子を連結する。オンにされるときに、データスイッチングトランジスタ216はストレージキャパシタ218のデータ・ライン202をゲート-側端子218gに電気的に連結する。
【００６０】
[0079]  図5Bは、プログラム位相およびエミッション位相の図5Aにおいて例示されるピクセル200を作動するためのタイミング図である。図5Bに示すように、ピクセル200はプログラム位相223およびエミッション位相224において作動されることができる。図5Cは、ドライブトランジスタ214の態様を測定するためにTFTモニタ位相225の図5Aにおいて例示されるピクセル200を作動するためのタイミング図である。図5Dは、OLED 220の態様を測定するためにOLEDモニタ位相226の図5Aにおいて例示されるピクセル200を作動するためのタイミング図である。
【００６１】
[0080]  ピクセル200を作動（「ドライブ」）するための典型的な実施において、ピクセル200はビデオディスプレイで各々のフレームのためのプログラム位相223およびエミッション位相224によって作動されることができる。画素200はまた、任意により、駆動トランジスタ214または220のOLED、またはその両方に画素200の劣化を監視するための監視フェーズ225、226のいずれか又は両方で動作することができる。ピクセル200は間欠的に（周期的に）モニタ位相225、226においてまたはソートによって作動されることができ、動的に要求するディスプレイのピクセルを決定し、識別する優先順位アルゴリズムはしたがって、補償を提供するための劣化情報を更新した。従って、画素200を介して表示されている単一のフレームに対応する駆動シーケンスは、プログラム相223と発光相224を含むことができ、監視フェーズ225,226のどちらか一方または両方を任意にすることができる。
【００６２】
[0081]  プログラム位相223の間、選択ライン204は高く設定され、輝線210は低く設定される。エミッショントランジスタ222がオフにされると共に、データスイッチングトランジスタ216およびモニタ・トランジスタ212はオンにされる。データ・ライン202はプログラム電圧（「Vprog」）にセットされる、そして、モニタライン208は基準電圧（「Vref」）で固定する。モニタライン208は、任意に基準電圧Vrefよりむしろ補償電圧（「Vcomp」）にセットされることができる。ゲート-側端子218gはストレージキャパシタ218のプログラム電圧Vprogにセットされ、ソース-側端子218sは基準電圧Vref（または補償電圧Vcomp）にセットされる。ストレージキャパシタ218は、プログラム電圧Vprogおよび基準電圧Vref（または補償電圧Vcomp）の違いによって、それによって満たされる。プログラム位相223の間、ストレージキャパシタ218にチャージする電圧は、駆動電圧と称する。駆動電圧は、OLED 220に光の所望の量を発させる所望の駆動電流を起こすためにドライブトランジスタ全体に適用されるために適当な電圧である。図2Aおよび2Bと関連して記載されているピクセル100の動作と類似して、ソース-側端子218sに、任意に適用される補償電圧Vcompは、モニタ位相225、226（例えばドライブトランジスタ214の閾値電圧Vtの増加）の間、測定される劣化のような、ピクセル回路200の性能劣化を説明する適当な電圧である。さらにまたは代わりに、ピクセル200の性能劣化の補償は、ゲート-側端子218gに適用されるプログラム電圧Vprogの調整によって、占められることができる。
【００６３】
[0082]  さらに、図3Aおよび3Bと関連して記載されているピクセル130と類似して、エミッショントランジスタ222は、ドライブトランジスタ214がプログラム位相223の間、ストレージキャパシタ218から分離されることを確実にする。ドライブトランジスタ214からストレージキャパシタ218のソース-側端子218sを切ることによって、エミッショントランジスタ222は、電流がスイッチングトランジスタの中を流れるように、ドライブトランジスタがプログラミングの間、ターンオンされないことを確実にする。前述のように、ドライブトランジスタ214をエミッショントランジスタ222を経たストレージキャパシタ218から分離することは、プログラム位相223の間、ストレージキャパシタ218にチャージする電圧がスイッチングトランジスタの抵抗から独立していることを確実にする。
【００６４】
[0083]  ピクセル200のエミッション位相224の間、輝線210が高い間、選択ライン204は低く設定される。データスイッチングトランジスタ216およびモニタ・トランジスタ212はオフにされ、エミッショントランジスタ222はエミッション位相224の間、オンにされる。エミッショントランジスタ214をオンにすることによって、ストレージキャパシタ218はドライブトランジスタ214のゲート端子およびソース端子全体に接続される。ドライブトランジスタ214は、ストレージキャパシタ218に保存される駆動電圧に従う電源ライン206から、駆動電流を引き出す。OLED 220はターンオンされ、OLED 220の陽極端子の電圧はOLED 220の作動電圧VOLEDに適応する。蓄積容量218は、自己調節ソース端子及び/又は1つ以上の他のバリエーションを考慮するように、駆動トランジスタ218のゲート端子の電圧によって駆動電圧を維持する。例えば、ソース-側端子218sの電圧が作動電圧VOLEDで定まっているOLED 220の陽極端子のために、エミッションサイクル224の間、変化する場合、ストレージキャパシタ218はドライブトランジスタ214のゲート端子の電圧がゲート全体の駆動電圧およびドライブトランジスタ214のソース端子を維持するように調整する。
【００６５】
[0084]  ピクセル200のTFTモニタ位相225の間、選択ライン204および輝線210は、両方の設定された高さである。データスイッチングトランジスタ216、モニタ・トランジスタ212およびエミッショントランジスタ222は全てターンオンされる。データ・ライン202は第1の較正電圧（「Vcal1」）で固定し、モニタライン208は第２の較正電圧（「Vcal2」）で固定する。第1の較正電圧Vcal1は、データスイッチングトランジスタ216でドライブトランジスタ214のゲート端子に適用される。第２の較正電圧Vcal2は、モニタ・トランジスタ212およびエミッショントランジスタ222によるドライブトランジスタ214のソース端子に適用される。第1の較正電圧Vcal1および第２の較正電圧Vcal2はそれによってドライブトランジスタ214のゲート-ソース潜在的Vgsを固定する、そして、ドライブトランジスタ214はそのゲート-ソース潜在的Vgsに従う電源ライン206から、電流を引き出す。第２の較正電圧Vcal2は、また、OLED 220の陽極に適用されて、都合よくOLED 220をオフにするのに十分な電圧であるのに選ばれる。TFTモニタ位相225の間、OLED 220をオフにすることは、ドライブトランジスタ214による流れる電流がOLED 220を通過しないことを確実にして、エミッショントランジスタ222およびモニタ・トランジスタ212を経たモニタライン208に、その代わりに伝えられる。図2Aおよび2Bのピクセル100と関連して、モニタ位相121の説明と類似し、モニタライン208に判断される電流は、ピクセル200（例えばドライブトランジスタ214の閾値電圧Vtを表す情報）のための劣化情報を抜き取るために用いることができる。
【００６６】
[0085]  ピクセル200のOLEDモニタ位相226の間、輝線210が低く設定されると共に、選択ライン204は高く設定される。エミッショントランジスタ222がオフにされると共に、データスイッチングトランジスタ216およびモニタ・トランジスタ212はオンにされる。データ線202は、基準電圧Vrefに固定され、モニタ線源又はモニタライン208上に固定された電流をシンクする。モニタライン208上の固定された電流は、モニタ・トランジスタ212によるOLED 220に印加されて、OLED 220にその作動電圧VOLEDで定まらせる。このように、固定された電流をモニタライン208に印加して、モニタライン208の電圧を測定することによって、OLED 220の作動電圧VOLEDは、抽出されることができる。
【００６７】
[0086]  また、図5Bから5Dでは、輝線は、一般に、選択ラインが特定のレベルに設定されるよりも長い期間の各動作フェーズ内レベルに設定されることに注意する。遅延するか、短くなるかまたは長くなることによって、ピクセル200の態様は、次の操作のサイクルの前により正確に安定した位置に取りかかることができ、値の継続期間が操作のサイクルの間、選択ライン204および／または輝線210によって決定される。例えば、プログラムに関して、輝線210を選択ライン204をセットする前に低く設定して、操作のサイクル223によって、ドライブトランジスタ214がデータスイッチングトランジスタ216を経たドライブトランジスタに適用されている新しいプログラム情報の前に、駆動電流をやめることができる。ピクセル200の異なった操作のサイクルの前後で遅延させるかまたは固定時間を提供するこの特徴がピクセル200のために例示されると共に、類似した変更態様は、ピクセル100、130、170、その他のような、本願明細書において開示される他の回路の操作のサイクルまでなされることができる。
【００６８】
[0087]  図5Aにおいて例示される駆動回路が、ｎ型トランジスタ（それは薄膜トランジスタであり、アモルファスシリコンから形成されることができる）で例示されると共に、ピクセル200のための図5Aおよび5dで図5Bにおいて例示される操作のサイクルにおいて例示される駆動回路は一つ以上のＰ型トランジスタを有し、薄膜トランジスタ以外のトランジスタを有する相補型回路まで広げられることができる。
【００６９】
[0088]  図6Aは、ピクセル240のための典型的なピクセル回路構成のための回路図である。ピクセル240のための駆動回路は、ピクセル240をプログラムし、モニタし、動かすために利用される。ピクセル240は、OLED 256で駆動電流を運搬するためのドライブトランジスタ252を含む。OLED 256は、図2Aに示されるOLED 110と類似し、OLED 256を通過している電流に従う光を発する。OLED 256は、いかなる電流駆動発光デバイスと取り替えられることができる。ピクセル240は、データ・ドライバ、アドレス・ドライバ、モニタシステム、その他への適切な線接続については、図1と関連して記載されているディスプレイパネル20およびディスプレイシステム50に組み込まれることができる。
【００７０】
[0089]  ピクセル240のための駆動回路も、ストレージキャパシタ262、データスイッチングトランジスタ260、モニタ・トランジスタ258およびエミッショントランジスタ254を含む。ピクセル240は、データ/モニタライン242、電源ライン246、第1の選択ライン244、第２の選択ライン245および輝線250に連結する。ドライブトランジスタ252は、ドライブトランジスタ252のゲート端子およびドライブトランジスタ252のソース端子全体のゲート-ソース電圧（「Vgs」）およびドライブトランジスタ252の閾値電圧（「Vt」）に従う電源ライン246から、電流を引き出す。ドライブトランジスタ252のドレイン−ソース電流およびゲート-ソース電圧との関係は、2A図および2Bと関連して記載されているドライブトランジスタ114の動作と類似する。
【００７１】
[0090]  ピクセル240において、ストレージキャパシタ262はエミッショントランジスタ254によるドライブトランジスタ252のゲート端子およびソース端子全体に連結される。ストレージキャパシタ262は第一末端262gを有し、それは便宜のためにゲート-側端子262gおよび第２の端子262sと称され、それは便宜のためにソース-側端子262sと称される。ゲート-側端子262gは、ストレージキャパシタ262の、ドライブトランジスタ252のゲート端子に電気的に連結する。ソース-側端子262sは、ストレージキャパシタ262の、エミッショントランジスタ254によるドライブトランジスタ252のソース端子に電気的に連結する。このように、エミッショントランジスタ254がオンにされるとき、ドライブトランジスタ252のゲート-ソース電圧Vgsはストレージキャパシタ262にチャージする電圧である。エミッショントランジスタ254は、輝線250によって作動される（例えば、輝線250が設定された高さであるとき、エミッショントランジスタ254はオンにされ、逆もまた同様である）。更に下で説明されるように、ストレージキャパシタ262はピクセル240のエミッション位相の間、それによってドライブトランジスタ252全体の駆動電圧を維持することができる。
【００７２】
[0091]  ドライブトランジスタ252のドレイン端子は、電気的に電源ライン246に連結する。ドライブトランジスタ252のソース端子は、電気的にエミッショントランジスタ254によるOLED 256の陽極端子に連結する。OLED 256の陰極端子は、接地点に接続していることができ、または任意に第２の電源線（例えば供給ラインVss）に接続していることができる。このように、OLED 256はドライブトランジスタ252の電流経路と直列に接続される。一旦、OLED 256の陽極および陰極端子全体の電圧劣化が2A図および2Bと関連して提供されるOLED 110の説明と同様のOLED 256の作動電圧（「VOLED」）を成し遂げるならば、OLED 256はOLED 256を通過している電流に従う光を発する。
【００７３】
[0092]  データスイッチングトランジスタ260は、第1の選択ライン244によって作動する（例えば、第1選択ライン244がハイのとき、トランジスタ260のスイッチングデータがターンオンされ、第1選択ライン244がローに設定されたときに、スイッチングトランジスタのデータがオフにされる）。モニタ・トランジスタ258は、第２の選択ライン245によって同様に作動される。オンにされるときに、データスイッチングトランジスタ260はデータ/モニタライン242に、ストレージキャパシタ262のゲート-側端子262gを電気的に連結する。オンにされるときに、モニタ・トランジスタ258はデータ/モニタライン242に、ストレージキャパシタ218のソース-側端子218sを電気的に連結する。
【００７４】
[0093]  図6Bは、プログラム位相およびエミッション位相の図6Aにおいて例示されるピクセル240を作動するためのタイミング図である。図6Bに示すように、ピクセル240はプログラム位相227およびエミッション位相228において作動されることができる。図6Cは、ドライブトランジスタ252のモニタ態様に、図6Aにおいて例示されるピクセル240を作動するためのタイミング図である。図6Dは、OLED 256の態様を測定するために図6Aにおいて例示されるピクセル240を作動するためのタイミング図である。
【００７５】
[0094]  ピクセル240を作動（「ドライブ」）するための典型的な実施において、ピクセル240はビデオディスプレイで各々のフレームのためのプログラム位相227およびエミッション位相228において作動されることができる。画素240はまた、必要に応じて、モニタ相のいずれかまたは両方が原因で、駆動トランジスタ252または256のOLED、またはその両方に画素200の劣化を監視で動作させることができる。
【００７６】
[0095]   プログラム・フェーズ227の間、第1のセレクトライン244はハイに設定され、第二選択ライン245はローに設定され、輝線250がローに設定される。エミッショントランジスタ254およびモニタ・トランジスタ258がオフにされると共に、データスイッチングトランジスタ260はターンオンされる。データ/モニタライン242は、プログラム電圧（「Vprog」）にセットされる。プログラム電圧Vprogは、補償をピクセル240の性能劣化に提供するために補償情報によって任意に調整されることができる。ゲート-側端子262gはストレージキャパシタ262のプログラム電圧Vprogにセットされ、電流がOLED 256の中を流れないと共に、ソース-側端子の218sはOLED 256の陽極端子に対応する電圧で定まる。ストレージキャパシタ262は、プログラム電圧Vprogによってそれによって満たされる。プログラム位相227の間、ストレージキャパシタ262にチャージする電圧は、駆動電圧と称する。駆動電圧は、OLED 256に光の所望の量を発させる所望の駆動電流を起こすためにドライブトランジスタ252全体に適用されるために適当な電圧である。
【００７７】
[0096]  さらに、図4Aおよび4Bと関連して記載されているピクセル160と類似し、エミッショントランジスタ254は、ドライブトランジスタ252がプログラム位相227の間、ストレージキャパシタ262から分離されることを確実にする。ドライブトランジスタ252からストレージキャパシタ262のソース-側端子262sを切ることによって、エミッショントランジスタ254は、電流がスイッチングトランジスタの中を流れるように、ドライブトランジスタ252がプログラミングの間、ターンオンされないことを確実にする。前述のように、ドライブトランジスタ252をエミッショントランジスタ254を経たストレージキャパシタ262から分離することは、プログラム位相227の間、ストレージキャパシタ262にチャージする電圧がスイッチングトランジスタの抵抗から独立していることを確実にする。
【００７８】
[0097]  ピクセル240のエミッション位相228の間、輝線250が高い間、第1の選択ライン244および第２の選択ライン245は低く設定される。データスイッチングトランジスタ260およびモニタ・トランジスタ258はオフにされ、エミッショントランジスタ254はエミッション位相228の間、オンにされる。エミッショントランジスタ254をオンにすることによって、ストレージキャパシタ262はドライブトランジスタ252のゲート端子およびソース端子全体に接続される。ドライブトランジスタ252は、ストレージキャパシタ262に保存される駆動電圧に従う電源ライン246から、駆動電流を引き出す。OLED 256はターンオンされ、OLED 256の陽極端子の電圧はOLED 256の作動電圧VOLEDに適応する。蓄積容量262は、自己調節ソース端子及び/又は1つ以上の他のバリエーションを考慮するように、駆動トランジスタ252のゲート端子の電圧によって駆動電圧を維持する。例えば、例えば、ソース-側端子262sの電圧が作動電圧VOLEDで定まっているOLED 256の陽極端子のために、エミッションサイクル228の間、変化する場合、ストレージキャパシタ262はドライブトランジスタ252のゲート端子の電圧がゲート全体の駆動電圧およびドライブトランジスタ252のソース端子を維持するように調整する。
【００７９】
[0098]  TFTモニタ動作は、充電位相229および読み込まれた位相230を含む。充電位相229の間、第２の選択ライン245および輝線250が低く設定されると共に、第1の選択ライン244は高く設定される。プログラム位相227と類似し、ゲート-側端子262gは、ストレージキャパシタ262の、データ/モニタライン242行に適用される第1の較正電圧（「Vcal1」）でチャージされる。次に、読み込まれた位相230の間、第1の選択ライン244は低く設定され、第２の選択ライン245および輝線250は高く設定される。データ/モニタライン242は、第２の較正電圧（「Vcal2」）にセットされる。ドライブトランジスタ252による流れる電流がデータ/モニタライン242へと流れるように、Vcal2が都合よく逆転させる第２の較正電圧はOLED 256に付勢する。電流が判断されると共に、データ/モニタライン242は第２の較正電圧Vcal2に維持される。測定された電流を第1の較正電圧Vcal1および第２の較正電圧Vcal2と比較することは、ドライブトランジスタ252（前の説明と同様の）に関連した劣化情報を引き出すことを考慮に入れる。
【００８０】
[0099]  OLEDモニタ動作も、充電位相231および読み込まれた位相232を含む。充電位相231の間、第２の選択ライン245および輝線250が低く設定されると共に、第1の選択ライン244は高く設定される。データスイッチングトランジスタ260は、ターンオンされて、ストレージキャパシタ262の、較正電圧（「Vcalである」）をゲート-側端子262gに印加する。読み込まれた位相232の間、電圧がOLED 256の作動電圧（「VOLED」）を抜き取るために測定されると共に、データ/モニタライン242上の電流は固定する。
【００８１】
[00100]  ピクセル240は都合よくデータ・ラインおよびモニタのラインを単一の線に組み込む。そして、それによってピクセル240がこの種の組合せを欠いているピクセルと比較したより小さい領域で包まれて、それによってピクセル密度およびディスプレイスクリーン決定を増やすことができる。
【００８２】
[00101]  図6Aにおいて例示される駆動回路がｎ型トランジスタ（それは薄膜トランジスタであり、アモルファスシリコンから形成されることができる）で例示されると共に、ピクセル240のための図6Aおよび6dで図6Bにおいて例示される操作のサイクルにおいて例示される駆動回路は一つ以上のＰ型トランジスタを有し、薄膜トランジスタ以外のトランジスタを有する相補型回路まで広げられることができる。
【００８３】
[00102]  図7Aは、ピクセル270のための回路を駆動している典型的なピクセルのための回路図である。ピクセル270は構造的に図2Aのピクセル100と類似している。但し、次の場合は除く−ピクセル270はドライブトランジスタ284およびOLED 288間の追加的なエミッショントランジスタ286を組み込む、そして、それを除いて、データ・ライン272およびモニタライン278の構成はピクセル100と異なる。エミッショントランジスタ286はまた、ストレージキャパシタ292およびOLED 288の間に位置する。そうすると、ピクセル270のプログラム位相の間、ストレージキャパシタ292は電気的にOLED 288から分離されることができる。プログラミングの間、OLED 288からストレージキャパシタ292を分離することは、影響され、またはOLED 288の静電容量のために混乱することからストレージキャパシタ292のプログラミングを予防する。エミッショントランジスタ286によって導かれる違いおよびデータおよびモニタのラインの構成に加えて、ピクセル270はまた、ピクセル100（後述するように更に下記の）と違って作動することができる。
【００８４】
[00103]  図7Bは、プログラム位相およびエミッション位相の図7Aにおいて例示されるピクセル270を作動するためのタイミング図である。図7Bに示すように、ピクセル270はプログラム位相233およびエミッション位相234において作動されることができる。図7Cは、ドライブトランジスタ284の態様を測定するためにTFTモニタ位相235の図7Aにおいて例示されるピクセル270を作動するためのタイミング図である。図7Dは、OLED 288の態様を測定するためにOLEDモニタ位相236の図7Aにおいて例示されるピクセル270を作動するためのタイミング図である。
【００８５】
[00104]  ピクセル270を作動（「ドライブ」）するための典型的な実施において、ピクセル270はビデオディスプレイで各々のフレームのためのプログラム位相233およびエミッション位相234によって作動されることができる。画素270はまた、任意により、駆動トランジスタ284または288のOLED、またはその両方に画素270の劣化を監視するための監視フェーズ235、236のいずれか又は両方で動作することができる。ピクセル270は間欠的に（周期的に）モニタ位相235、236においてまたはソートによって作動されることができ、動的に要求するディスプレイのピクセルを決定して、識別する優先順位アルゴリズムはしたがって、補償を提供するための劣化情報を更新した。従って、画素270を介して表示されている単一のフレームに対応する駆動シーケンスは、プログラム段階233及び発光段階234を含むことができ、監視フェーズ235,236のどちらか一方または両方を任意にすることができる。
【００８６】
[00105]  プログラム位相233の間、選択ライン274は高く設定される、そして、輝線280は低く設定される。エミッショントランジスタ286がオフにされると共に、データスイッチングトランジスタ290およびモニタ・トランジスタ282はオンにされる。データ・ライン272はプログラム電圧（「Vprog」）にセットされ、モニタライン278は基準電圧（「Vref」）で固定する。モニタライン278は、任意に基準電圧Vrefよりむしろ補償電圧（「Vcomp」）にセットされることができる。ストレージキャパシタ292のゲート-側端子292gはプログラム電圧Vprogにセットされ、ソース-側端子292sは基準電圧Vref（または補償電圧Vcomp）にセットされる。ストレージキャパシタ292は、プログラム電圧Vprogおよび基準電圧Vref（または補償電圧Vcomp）の違いによって、それによって満たされる。プログラム位相233の間、ストレージキャパシタ292にチャージする電圧は、駆動電圧と称する。駆動電圧は、OLED 288に光の所望の量を発させる所望の駆動電流を起こすためにドライブトランジスタ全体に適用されるために適当な電圧である。図2Aおよび2Bと関連して記載されているピクセル100の動作と類似し、ソース-側端子292sに、任意に適用される補償電圧Vcompは、モニタ位相235、236（例えばドライブトランジスタ284の閾値電圧Vtの増加）の間、測定される劣化のような、ピクセル回路270の性能劣化を説明する適当な電圧である。さらにまたは代わりに、ピクセル270の性能劣化の補償は、ゲート-側端子292gに適用されるプログラム電圧Vprogの調整によって、占められることができる。
【００８７】
[00106]  ピクセル270のエミッション位相234の間、輝線280が高い間、選択ライン274は低く設定される。データスイッチングトランジスタ290およびモニタ・トランジスタ282はオフにされ、エミッショントランジスタ286はエミッション位相234の間、オンにされる。エミッショントランジスタ286をオンにすることによって、ストレージキャパシタ292はドライブトランジスタ284のゲート端子およびソース端子全体に接続される。ドライブトランジスタ284は、ストレージキャパシタ292に保存される駆動電圧に従う電源ライン276から、駆動電流を引き出す。OLED 288はターンオンされ、OLED 288の陽極端子の電圧はOLED 288の作動電圧VOLEDに適応する。蓄積容量292は、自己調節ソース端子及び/又は1つ以上の他のバリエーションを考慮するように、駆動トランジスタ284のゲート端子の電圧によって駆動電圧を維持する。例えば、ソース-側端子292sの電圧が作動電圧VOLEDで定まっているOLED 288の陽極端子のために、エミッションサイクル234の間、変化する場合、ストレージキャパシタ292はドライブトランジスタ284のゲート端子の電圧がゲート全体の駆動電圧およびドライブトランジスタ284のソース端子を維持するように調整する。
【００８８】
[00107]  ピクセル270のTFTモニタ位相235の間、輝線280が低く設定されると共に、選択ライン274は高く設定される。エミッショントランジスタ286がオフにされると共に、データスイッチングトランジスタ290およびモニタ・トランジスタ282はオンにされる。データ・ライン272は第1の較正電圧（「Vcal1」）で固定され、モニタライン278は第２の較正電圧（「Vcal2」）で固定する。第1の較正電圧Vcal1は、データスイッチングトランジスタ290でドライブトランジスタ284のゲート端子に適用される。第２の較正電圧Vcal2は、モニタ・トランジスタ282によるドライブトランジスタ284のソース端子に適用される。第1の較正電圧Vcal1および第２の較正電圧Vcal2はそれによってドライブトランジスタ284のゲート-ソース潜在的Vgsを固定し、ドライブトランジスタ284はそのゲート-ソース潜在的Vgsに従う電源ライン276から、電流を引き出す。エミッショントランジスタ286はオフにされ、それはTFTモニタ位相235の間、ドライブトランジスタ284の電流経路から、OLED 288を取り除く。ドライブトランジスタ284からの電流は、このようにモニタ・トランジスタ282を経たモニタライン278に運搬される。図2Aおよび2Bのピクセル100と関連して、モニタ位相121の説明と類似し、モニタライン278に判断される電流は、ピクセル270（例えばドライブトランジスタ284の閾値電圧Vtを表す情報）のための劣化情報を抜き取るために用いることができる。
【００８９】
[00108]  ピクセル270のOLEDモニタ位相236の間、選択ライン274および輝線280は、高く設定される。データスイッチングトランジスタ290、モニタ・トランジスタ282およびエミッショントランジスタ286は、全てターンオンされる。データ・ライン272は、基準電圧Vrefおよびモニタ線ソースで固定するかまたはモニタライン278上の固定された電流をシンクする。モニタライン278上の固定された電流は、モニタ・トランジスタ282によるOLED 288に印加され、OLED 288にその作動電圧VOLEDで定まらせる。このように、固定された電流をモニタライン278に印加して、モニタライン278の電圧を測定することによって、OLED 288の作動電圧VOLEDは、抽出されることができる。
【００９０】
[00109]  図7Aにおいて例示される駆動回路がｎ型トランジスタ（それは薄膜トランジスタであり、アモルファスシリコンから形成されることができる）で例示されると共に、ピクセル270のための図7Aおよび7dで図7Bにおいて例示される操作のサイクルにおいて例示される駆動回路は一つ以上のＰ型トランジスタを有し、薄膜トランジスタ以外のトランジスタを有する相補型回路まで広げられることができる。
【００９１】
[00110]  本願明細書において一般に開示される回路は、接続されているかまたはお互いに連結している回路構成要素に関連する。多くの例において、すなわち、関連される接続は、導電ライン以外の接続ポイント間の回路要素なしで、直結を経てなされる。常に明確に言及されないにもかかわらず、この種の接続はさまざまな接続ポイントの間で堆積する伝導性の透明な酸化物によって、例えばディスプレイパネルの基板に定められる導電チャネルによってなされることができる。インジウム・スズ酸化物は、そのような伝導性の透明な酸化物である。ある事例では、連結されおよび／または接続される構成要素は接続の段階間の容量継手を経て連結されることができる。そうすると、接続の段階は直列に容量性素子経由で接続される。直接接続されないと共に、この種の容量結合された接続によってまだ接続の段階が容量性カップリング効果を経て、および、DCバイアスのない接続の他の段階で反映される電圧の変化を経て互いに影響することができる。
【００９２】
[00111]  さらに、いくつかの例では、接続の2つの段階の間の他の回路要素については、本願明細書において記載されているさまざまな接続および結合は、非直結によって提供されることができる。通常、接続の段階の間で配置される一つ以上回路要素は、ダイオード、レジスタ、トランジスタ、スイッチその他でありえる。接続が非直接である場合、接続の2つの点間の電圧及び/又は電流が十分に接続の2つの点は、それぞれ別の（電圧変化を介して、電流の変化に影響を与えることができるように関係していると、接続回路素子を介して、関連しているなど）は、依然として実質的に本明細書に記載したのと同じ機能を実現している。いくつかの実施形態において、電圧および／または電流レベルは、従来技術において回路設計の当業者によって認められることができるように、非直結を提供している追加的な回路要素を占めるように調整されることができる。
【００９３】
[00112]   本明細書に開示された回路のいずれかは、例えば、ポリシリコン、アモルファスシリコン、有機半導体、金属酸化物、及び従来のCMOSを含む多くの異なる製造技術に従って製造することができる。本願明細書において開示される回路のいずれかは、それらの補完的な回路建築相対物によって修正されることができる（例えば、ｎ型トランジスタは、Ｐ型トランジスタで代えることができ、逆も同じである）。
【００９４】
[00113]  ２つ以上のコンピュータ・システムまたは装置は、本願明細書において記載されているコントローラのいかなる一つもと置換されることができる。従って、所望に応じ、このような冗長性、レプリケーションなどの分散処理の原理および利点は、本明細書に記載のコントローラのロバスト性および性能を高めるために実施することができる。
【００９５】
[00114]   本明細書に記載の実施例判定方法及びプロセスの動作は、機械可読命令によって実行することができる。これらの実施形態では、機械可読命令は、(a)プロセッサ、（b）コントローラおよび／または（c）一つ以上の他の適切なプロセッシングデバイスによって実行されるアルゴリズムを包含する。該アルゴリズムは、例えば、フラッシュメモリ、CD-ROM、フロッピーディスク、ハードディスク、デジタル・ビデオ（多用途）ディスク（DVD）または他のメモリ装置のような有形の媒体にストアされたソフトウェアで具現化されるが、当業者は、容易にアルゴリズム全体および/またはその部分は、代わりに周知の方法（例えば、アプリケーション特定の集積回路（ASIC）、プログラム可能な論理装置（PLD）、フィールド・プログラム可能な論理装置（FPLD）、フィールド・プログラム可能なゲート・アレイ（FPGA）、離散的な論理、その他によって実行されることができる）でプロセッサおよび/またはファームウェアや専用ハードウェアにおいて具現化以外のデバイスによって実行され得ることを理解するであろう。例えば、ベースラインデータ判定方法の要素のいずれかまたは全ては、ソフトウェア、ハードウェア、および/またはファームウェアによって実施することができる。また、いくつかまたは表される機械読み込み可能な命令の全ては、手動で実行されることができる。
【００９６】
[00115]  本発明の具体例およびアプリケーションを例示し、記載してきたけれども、本発明が本願明細書において開示される正確な構造および組成物に限られていないと理解され、そのさまざまな変更態様、変化およびバリエーションは添付の特許請求の範囲に記載の本発明の精神と範囲から逸脱することなく、前述の説明から明らかでありえる。
【図１】
2014517940.tif 000003
【図２Ａ】
2014517940.tif 000004
【図２Ｂ】
2014517940.tif 000005
【図３Ａ】
2014517940.tif 000006
【図３Ｂ】
2014517940.tif 000007
【図４Ａ】
2014517940.tif 000008
【図４Ｂ】
2014517940.tif 000009
【図５Ａ】
2014517940.tif 000010
【図５Ｂ】
2014517940.tif 000011
【図５Ｃ】
2014517940.tif 000012
【図５Ｄ】
2014517940.tif 000013
【図６Ａ】
2014517940.tif 000014
【図６Ｂ】
2014517940.tif 000015
【図６Ｃ】
2014517940.tif 000016
【図６Ｄ】
2014517940.tif 000017
【図７Ａ】
2014517940.tif 000018
【図７Ｂ】
2014517940.tif 000019
【図７Ｃ】
2014517940.tif 000020
【図７Ｄ】
2014517940.tif 000021
【国際調査報告】
2014517940.tif 000022
2014517940.tif 000023
2014517940.tif 000024
2014517940.tif 000025
2014517940.tif 000026
2014517940.tif 000027